(57)【要約】可撓性封じ込めチューブは流体を封じ込めるために堤防セクションを形成する。構造支持は、可撓性封じ込めチューブ内に挿入され、チューブを封止して、構造支持堤防セクションを形成する。例えば、構造支持は、直径１２〜３６インチのビニルコートポリエステルチューブに対して構造支持を提供するように、所与の長さ及び断面直径を有するように構築される。外構造はチューブ内に封止され、実際、チューブは封じ込め堤防を支持する構造を形成するように、水のような流体で充填される。支持構造体の長さは、入口の幅を基準に、洪水に向かって入口を横断する封止を提供する所与の長さを有する構造支持堤防セクションを形成するように選択される。【特許請求の範囲】
【請求項１】
洪水の被害を緩和させる装置であって、前記装置は、
可撓性封じ込めチューブであって、
周囲と、
長さと、
前記可撓性封じ込めチューブの可撓性本体に設けられた弁と、を備える可撓性封じ込めチューブと、
前記可撓性封じ込めチューブの内部内に設けられた支持構造体であって、
前記可撓性封じ込めチューブの周囲を基準とした断面周囲と、
長さであって、前記支持構造体の長さが前記可撓性封じ込めチューブの長さよりも短い長さと、を備える支持構造体と
を含むことを特徴とする装置。
【請求項２】
前記可撓性封じ込めチューブの、前記可撓性封じ込めチューブに設けられた弁は、充填された流体を受容し、前記充填された流体の放出を阻止するように構築されていることを特徴とする請求項１に記載の装置。
【請求項３】
前記可撓性封じ込めチューブの長さは、最小折りたたみ長さ分、前記支持構造体の長さを延伸することを特徴とする請求項１に記載の装置。
【請求項４】
前記最小折りたたみ長さ分、前記支持構造体の長さを延伸する前記可撓性封じ込めチューブの長さは、折りたたまれ、前記可撓性封じ込めチューブが前記支持構造体を前記可撓性封じ込めチューブ内に封止し、前記弁を通って充填されたときに、前記可撓性封じ込めチューブから流体が放出されることを阻止することを確実にすることを特徴とする、請求項３に記載の装置。
【請求項５】
前記最小折りたたみ長さ分、前記支持構造体の長さを延伸する前記可撓性封じ込めチューブの長さは、ストラップ、スリーブ端部、またはチューブ当接部により、前記可撓性封じ込めチューブ内に前記支持構造体を封止し、前記弁を通って充填されたときに、前記可撓性封じ込めチューブから流体が放出されることを阻止することを確実にすることを特徴とする、請求項３に記載の装置。
【請求項６】
前記支持構造体の前記断面の前記周囲は、前記可撓性封じ込めチューブの開口に前記支持構造体を挿入することを可能にするように、前記可撓性封じ込めチューブの周囲より小さいが近似であることを特徴とする請求項１に記載の装置。
【請求項７】
前記支持構造体は、前記支持構造体の前記長さおよび／または前記断面周囲を調整するのに適合する調整可能な支持体を含むことを特徴とする請求項１に記載の装置。
【請求項８】
前記支持構造体は、正方形、長方形または三角形の断面を有し、前記断面周囲は前記断面の辺の合計であることを特徴とする請求項１に記載の装置。
【請求項９】
洪水の損害を緩和する方法であって、前記方法は、
入口の幅を基準に支持構造体の長さを調整することと、
可撓性封じ込めチューブの周囲を基準に支持構造体の断面周囲を調整することと、
前記支持構造体を前記可撓性封じ込めチューブ内に封止して、構造支持堤防セクションを形成することと、
前記入口内に前記構造支持堤防セクションを配置することと、
前記構造支持堤防セクションを充填流体で充填し、前記入口の幅内で前記可撓性封じ込めチューブを横方向に延伸し、前記入口の少なくとも１つの縁で封止を形成することを含むことを特徴とする方法。
【請求項１０】
前記可撓性封じ込めチューブの前記可撓性本体に設けられた弁は、前記充填流体を受容し、前記充填流体の放出を阻止するように構築されることを特徴とする請求項９に記載の方法。
【請求項１１】
前記可撓性封じ込めチューブの長さは、最小折りたたみ長さ分、前記支持構造体の長さを延伸することを特徴とする請求項９に記載の方法。
【請求項１２】
前記最小折りたたみ長さ分、前記支持構造体の長さを延伸する前記可撓性封じ込めチューブの長さは、折りたたまれ、前記可撓性封じ込めチューブが前記支持構造体を前記可撓性封じ込めチューブ内に封止し、前記弁を通って充填されたときに、前記可撓性封じ込めチューブから流体が放出されることを阻止することを確実にすることを特徴とする、請求項９に記載の方法。
【請求項１３】
前記最小折りたたみ長さ分、前記支持構造体の長さを延伸する前記可撓性封じ込めチューブの長さは、ストラップ、スリーブ端部、またはチューブ当接部により、前記可撓性封じ込めチューブ内に前記支持構造体を封止し、前記弁を通って充填されたときに、前記可撓性封じ込めチューブから流体が放出されることを阻止することを確実にすることを特徴とする、請求項９に記載の方法。
【請求項１４】
前記支持構造体の前記断面の前記周囲は、前記可撓性封じ込めチューブの開口に前記支持構造体を挿入することを可能にするように、前記可撓性封じ込めチューブの周囲より小さいが近似であることを特徴とする請求項９に記載の方法。
【請求項１５】
前記支持構造体は、前記支持構造体の前記長さおよび／または前記断面周囲を調整するのに適合する調整可能な支持体を含むことを特徴とする請求項９に記載の方法。
【請求項１６】
前記入口内に前記構造支持堤防セクションを配置することは、
前記入口を横断するようにベーパバリアを延伸すること、
前記ベーパバリアの第１の端部部分上に前記構造支持堤防セクションを配置すること、
前記構造支持封じ込め堤防セクションの背面の周りに前記ベーパバリアの第２の端部を包むこと、および
前記構造支持封じ込め堤防セクションの前面を降り、封じ込めエリア内に、前記ベーパバリアの前記第２の端部を延伸すること、
を含むことを特徴とする請求項９に記載の方法。
【請求項１７】
さらに、
前記入口の幅および前記第１の支持構造体の前記長さを基準に第２の支持構造体の長さを調整すること、
第２の可撓性封じ込めチューブ内で前記第２の支持構造体を封止し、第２の構造支持堤防セクションを形成すること、
前記入口内で、前記第２の構造支持堤防セクションを第１の構造支持堤防セクションに当接すること、および
前記第２の構造支持堤防セクションを充填流体で充填し、前記入口の幅内で前記第２の可撓性封じ込めチューブを横方向に延伸し、前記入口の第２の縁で第２の封止を、第１の構造支持堤防セクションで第３の封止を形成すること、
を含むことを特徴とする請求項９に記載の方法。
【請求項１８】
前記入口の幅を基準とした支持構造体の長さを調整すること、
第２の可撓性封じ込めチューブ内で前記第２の支持構造体を封止し、第２の構造支持堤防セクションを形成すること、
前記入口内で前記第２の構造支持堤防セクションを前第１の構造支持堤防セクションの上に重ねること、および
前記第２の構造支持堤防セクションを充填流体で充填し、前記入口の幅内で前記第２の可撓性封じ込めチューブを横方向に延伸し、前記入口の前記少なくとも１つの縁で第２の封止を形成すること、
を含むことを特徴とする請求項９に記載の方法。
【請求項１９】
入口の幅を基準に支持構造体の長さを調整することは、前記入口の幅内に適応する前記支持構造体の１または複数の調整可能な長い支持体を調整し、充填したときに、前記入口内で前記構造支持堤防セクションを封止すること、を含み、
可撓性封じ込めチューブの周囲を基準に支持構造体の断面周囲を調整することは、前記可撓性封じ込めチューブの周囲より小さい、合算した長さを有するように前記支持構造体の断面を画定する、１つまたは複数の調整可能な断面の支持体を調整することを含む、
ことを特徴とする請求項９に記載の方法。
【請求項２０】
前記支持構造体は、正方形、長方形または三角形の断面を有し、前記断面周囲は前記断面の辺の合計であることを特徴とする請求項８に記載の方法。
【発明の詳細な説明】
【技術分野】
【０００１】
本開示は、堤防のための可撓性の封じ込めチューブ（ｃｏｎｔａｉｎｍｅｎｔ  ｔｕｂｅｓ）に関し、具体的には、現場でのそれらの弾力性および実用性を改善することに関する。
【背景技術】
【０００２】
多くのシステムが、洪水の水の広がりまたは流体の流出を制御するために用いられてきた。液体のフローを封じ込めるかまたは方向転換させるための最も一般的な手段の１つは、砂袋で防ぐことであり、空の袋が砂で充填され、一時的な堤防を形成するように積み上げられる。液体フローを一時的に方向転換させるために砂袋で防ぐことは、特定の欠点を有しており、それは、砂袋を作り出す金銭的なコスト、砂充填材の金銭的なコスト、空の砂袋を充填する時間的なコスト、および、充填された砂袋をそれらがもはや必要とされないときに除去する困難さを含む。追加的に、一時的な砂袋の堤防は、いくらかの液体フローを方向転換させる際に効果的であるが、液体を封じ込めるのには十分でない。
【発明の概要】
【発明が解決しようとする課題】
【０００３】
他のエリアでは、具体的には、より長期間にわたる地面より上の流体保管および方向転換に関連するものでは、高価なインフラストラクチャおよび／または構築方法が、流体を封じ込めるために、および、流体を方向転換させるために必要とされる。たとえば、長期間にわたる封じ込めの場合、プールが、重機で掘られ、または、タンクなど、恒久的な封じ込め構造体が輸送され、現地で設置または建築される。そのような方法は、固定量の液体の恒久的な封じ込めまたは方向転換に関して効果的であるが、実施するためにかなりのコストおよび作業工数を伴う。
【０００４】
実施形態の教示は、添付の図面と併せて以下の詳細な説明を考慮することによって、容易に理解され得る。
【図面の簡単な説明】
【０００５】
【図１】例示的な実施形態による、方向転換堤防を固定するための土製アンカー（ｅａｒｔｈｅｎ  ａｎｃｈｏｒ）を示す図である。
【図２】例示的な実施形態による、ベーパバリア（ｖａｐｏｒ  ｂａｒｒｉｅｒ）を固定するための土製アンカーを示す図である。
【図３Ａ】例示的な実施形態による、方向転換堤防を構築する際のベーパバリア構成を示す図である。
【図３Ｂ１】例示的な実施形態による、方向転換堤防を構築する際のベーパバリア構成を示す図である。
【図３Ｂ２】例示的な実施形態による、方向転換堤防を構築する際のベーパバリア構成を示す図である。
【図３Ｃ１】例示的な実施形態による、方向転換堤防を構築する際のベーパバリア構成を示す図である。
【図３Ｃ２】例示的な実施形態による、方向転換堤防を構築する際のベーパバリア構成を示す図である。
【図４Ａ】例示的な実施形態による、可撓性の封じ込めチューブの一体式のベーパバリアを示す図である。
【図４Ｂ】例示的な実施形態による、可撓性の封じ込めチューブの一体式のベーパバリアを示す図である。
【図４Ｃ】例示的な実施形態による、可撓性の封じ込めチューブの一体式のベーパバリアを示す図である。
【図５】例示的な実施形態による、可撓性の封じ込めチューブのためのスリーブ端部を示す図である。
【図６Ａ】例示的な実施形態による、可撓性の封じ込めチューブを示す図である。
【図６Ｂ】例示的な実施形態による、可撓性の封じ込めチューブを示す図である。
【図７Ａ１】例示的な実施形態による、可撓性の封じ込めチューブ当接部を示す図である。
【図７Ａ２】例示的な実施形態による、可撓性の封じ込めチューブ当接部を示す図である。
【図７Ｂ１】例示的な実施形態による、可撓性の封じ込めチューブ当接部を示す図である。
【図７Ｂ２】例示的な実施形態による、可撓性の封じ込めチューブ当接部を示す図である。
【図７Ｃ】例示的な実施形態による、可撓性の封じ込めチューブ当接部を示す図である。
【図７Ｄ】例示的な実施形態による、可撓性の封じ込めチューブ当接部を示す図である。
【図７Ｅ】例示的な実施形態による、可撓性の封じ込めチューブ当接部を示す図である。
【図８Ａ】例示的な実施形態による、可撓性の封じ込めチューブの弁システムを示す図である。
【図８Ｂ】例示的な実施形態による、可撓性の封じ込めチューブの弁システムを示す図である。
【図８Ｃ】例示的な実施形態による、可撓性の封じ込めチューブの弁システムを示す図である。
【図９】封じ込められている流体の高さとともに増加する静水圧力の力を示す図である。
【図１０】封じ込められている流体の高さが上昇するときに静水圧力の力とともに増加する、封じ込められている流体の下向きの力を示す図である。
【図１１Ａ】例示的な実施形態による可撓性封じ込めチューブの例示的な支持構造体を示す図である。
【図１１Ｂ】例示的な実施形態による可撓性封じ込めチューブの例示的な支持構造体を示す図である。
【図１１Ｃ】例示的な実施形態による可撓性封じ込めチューブの例示的な支持構造体を示す図である。
【図１２Ａ】例示的な実施形態による例示的な構造で支持された封じ込め堤防を示す図である。
【図１２Ｂ】例示的な実施形態による例示的な構造で支持された封じ込め堤防を示す図である。
【図１２Ｃ】例示的な実施形態による例示的な構造で支持された封じ込め堤防を示す図である。
【図１２Ｄ】例示的な実施形態による例示的な構造で支持された封じ込め堤防を示す図である。
【図１２Ｅ】例示的な実施形態による例示的な構造で支持された封じ込め堤防を示す図である。
【図１３Ａ】例示的な実施形態による、例示的な構造で支持される封じ込め堤防用途を示す図である。
【図１３Ｂ】例示的な実施形態による、例示的な構造で支持される封じ込め堤防用途を示す図である。
【発明を実施するための形態】
【０００６】
図および以下の説明は、単なる例示として、好適な実施形態に関する。下の考察から、本明細書で開示されている構造体および方法の代替的実施形態が、実施形態の原理から逸脱することなく用いられ得る実行可能な代替例として容易に理解されることに留意されたい。
【０００７】
ここで、いくつかの実施形態を詳細に参照し、その例が、添付の図に図示されている。できる限り、類似または同様の参照数字が、図の中で使用され得、類似または同様の機能性を示すことが可能であることに留意されたい。図は、単なる例示の目的のために実施形態を示している。
【０００８】
歴史的に、液体のフローを一時的に封じ込めるかまたは方向転換させるためのバリアを手で作るために、砂袋が、現場で構築されていた（または、現場外で構築されて送達されていた）。流体封じ込めおよび方向転換のためのバリア構築のこの方法は、異常に多大な時間を必要とし、砂袋を構築および／または置くために大規模な人々のチームを必要とし、追加的に、砂袋を充填するための大量の特定の原材料（砂）を必要とする。さらに、バリアの取り壊しは、バリアの現場から原材料を除去することを容易にするために、等しく大規模の人々のチームを必要とする。
【０００９】
流体封じ込めの他のエリアでは、大型の土で作られた封じ込め池または他の人造の封じ込め池が、水平な土地の大きい区域を掘ることによって、または、土で作られたバリアをその上に構築することによって構築され、（たとえば、流し込まれたコンクリートの）パッドを利用し、流体を受け入れて移送することが多い。パッドに関する水平な土地の大部分が、流体保管を支持し、その掘削（または、パッドに関する材料の移動）は、かなりの量の作業工数および機械工数を必要とする。それに加えて、コンクリートによってパッドを構築することは、膨大な量の材料を必要とし、また、構築現場へそれを輸送することを必要とする。そのうえ、コンクリート自身は、流体封じ込めにおける使用の前に、硬化（乾燥）させられなければならない。パッドの上に生成される例示的な封じ込め池の構造体は、パッドのために掘られた区域、および／または、水準表面の上に構築された地面より上の池を含む。
【００１０】
上記の流体封じ込め技法の短所は、実施するためのコストおよび作業工数を超えて拡大する。たとえば、砂袋封じ込め構造体は、構築するのに比較的に簡単でありながら、一時的な方向転換に関しては最も効果的であるが、封じ込めに関しては効果的でない。したがって、洪水損傷を軽減する観点から、砂袋バリアは、流れる水の方向転換を通して、構造体（たとえば、家）が洗い流されることを防止することが可能であるが、淀んだ水の侵入を防止するには十分でない。砂袋よりも効果的な、より恒久的な構造体に関して、起こり得る洪水事象の直前に、砂袋と同様の様式で、洪水損傷を軽減する際にそれらを使用することは、実行不可能であることが多い。
【００１１】
大きい可撓性の封じ込めチューブは、特定の原材料への依存を軽減し、設置コストを低減し、流体方向転換および封じ込めのための所与の長さおよび高さのバリアを構築するために必要とされる人員の数を減少させる。たとえば、洪水の水の流体方向転換および封じ込めのために、洪水の間にバリアのセクションを構築するために、１つの大きい封じ込めチューブ（または、チューブ）は、数十個または数百個の砂袋の代わりになることが可能である。別の例では、１つの大きいチューブは、流体封じ込めに関して、より恒久的な構造体の代わりになることが可能である。さらに、柔軟な封じ込めチューブを利用した構造で支持された封じ込め堤防の例は、洪水による被害を軽減するための、特に、砂袋がしばしば使用されていた用途において、洪水の方向転換を伴う、閉じ込められたエリアへのたまった水の浸入を緩和するための、追加の構成を提供する。さらに、チューブを充填することは、水、生コンクリート、他の流体など、任意の液体物質の使用を通して実施され得、または、さらに、特定の構成において、膨張および硬化するフォーム（たとえば、ポリウレタンフォームなど）もしくはガスの使用を通して実施され得、それは、チューブの中へポンプ送りされ得る。
【００１２】
チューブを充填するための物質は、用途に依存し得、たとえば、洪水の水を方向転換させるように構築された一時的なバリアの場合には、水が使用され得る。別の例では、流体封じ込めに関して、より恒久的なバリアの場合には、コンクリートが使用され得、その場合、コンクリートが、乾燥すると、チューブ自身の本体部の代わりにバリアを形成する。
【００１３】
１つの実装形態では、複数の可撓性の封じ込めチューブは、洪水の方向転換のための堤防のセクションを形成することが可能である。たとえば、１９インチ（４８．２６ｃｍ）の直径を有する複数のビニールコーティングされたポリエステルチューブは、水で充填され、互いの上に積み重ねられ、一時的な方向転換堤防を生成することが可能である。堤防の複数のセクションは、共に当接され、堤防のより長いセクションを形成することが可能である。複数のチューブをピラミッドの方式で積み重ねることによって、および、迫り来る洪水からの水、または、ローカルの給水栓（もしくは、他の手段）からの水で、それぞれの可撓性の封じ込めチューブを充填することによって、これらの一時的なセクションが築かれ得る。封じ込めチューブは、ポリエステル製のストラップで固定し、ネジ式のアンカーなどのアンカーで地面に固定できる。追加的に、ベーパバリアまたはプラスチック膜は、堤防セクションに巻き付けることが可能であり、および／または、充填する前にそれらが設置されるときに、可撓性の封じ込めチューブを通して縫うように進められ、（たとえば、堤防セクションの中に、および、当接している堤防セクションの間に）浸出バリアを生成し、堤防セクションを強化することが可能である。さらに、地面シート重量および／または追加的な地面アンカーが、封じ込めエリアの中へ延在するベーパバリアの一部分を固定することが可能である。
【００１４】
他の例示的な構成では、可撓性封じ込めチューブの支持構造体を利用して、可撓性封じ込めチューブよりも短い長さの構造体で支持された封じ込め堤防のセクションを構築することができる。たとえば、可撓性封じ込めチューブは、閉鎖端と、支持構造体が可撓性封じ込めチューブに挿入されて構造支持された封じ込め堤防を作成することができる開口端とを有することができる。支持構造体が可撓性封じ込めチューブに挿入されるとき、支持構造体の断面の周りの周囲長さは、挿入を容易にするために（例えば、支持構造体の周りの可撓性封じ込めチューブを伸ばす必要なしに）封じ込めチューブの周囲よりも短いことが好ましい。他の例示的な実施形態では、可撓性封じ込めチューブは両端が開いていてもよく、したがって、支持構造体は、いずれかの端部から可撓性封じ込めチューブに挿入されてもよい。一端が封止された所定の長さの可撓性封じ込めチューブの場合、支持構造体は、可撓性封じ込めチューブの長さから最小折りたたみ長さを差し引いた長さまで伸びる。ここで、最小折りたたみ長さは、開放端を封止させるために支持構造体を通って延伸する、開放端でのチューブの余分な長さを画定する。可撓性封じ込めチューブに２つの開口端があるチューブ構成では、構造は、両端を封止させるために、開放端が一つの可撓性封じ込めチューブの最小折りたたみ長さの2倍である最小折りたたみ長さを引いた可撓性封じ込めチューブの長さまで延伸できる。
【００１５】
様々な実施形態では、支持構造体は、所与の長さに構築されてもよく、または調整範囲内で所与の長さに調整されてもよい。例えば、浸水の影響を受けやすい出入り口または他の出入口を考慮して、支持構造体は、出入口の幅内に適合する長さに調整または構築されてもよい。所定の支持構造体の長さよりも広い幅を有するガレージの入口などのより大きな入口の場合、単一の管内で複数の支持構造体を使用することができる。たとえば、２つの構造は、単一のチューブ内で一緒に連結されるか、または端と端を当接してもよい。入口の幅が（最小折りたたみ長さを引いた）可撓性封じ込めチューブの長さよりも大きい場合、複数の構造物を複数の可撓性封じ込めチューブと組み合わせて使用できる。状況に関係なく、いくつかの構造および/またはチューブを使用して、特定の長さの構造で支持された封じ込め堤防のセクションを構築できる。
【００１６】
構造で支持された封じ込め堤防のセクションの高さと幅は、主に、支持構造体の寸法と、使用される可撓性封じ込めチューブの直径に依存する。前述のように、支持構造体は可撓性封じ込めチューブに挿入されるので、支持構造体の断面の周囲の長さは、挿入を容易にするために封じ込めチューブの周囲よりも短いことが好ましい。直径１２インチ（３０．４８ｃｍ）のチューブの例では、チューブの周長は約３７．７インチ（９５．７５８ｃｍ）で、この寸法内に収まるさまざまな支持構造体に対応できる。例には、周囲の長さが３６インチ（９１．４４ｃｍ）（９＋９＋９＋９）の９×９の正方形、周囲の長さが３６インチ（９１．４４ｃｍ）（６＋ ６＋１２＋１２）の６×１２の長方形、周囲の長さが３６インチ（９１．４４ｃｍ）の９−１２−１５の三角形などなど、断面の例を持つ支持構造体が含まれる。上記の特定の例の構造はいずれも、挿入を容易にするために、その断面の周囲に、可撓性封じ込めチューブの外周（３７．７インチ（９５．７５８ｃｍ））よりもわずかに小さい例示的な外周（３６インチ（９１．４４ｃｍ））を有する。特定の構造の利用は、所与の用途にとって好ましい場合がある。たとえば、長方形の構造は、入口内に配置された堤防のセクションに追加の高さを提供するために好まれ、正方形の構造は複数の堤防セクションを互いの上に積み重ねることを容易にするために好まれ、および三角形の構造は、追加の高さおよび/または三角形の向きと寸法に応じた安定性を提供する。
【００１７】
図１は、例示的な実施形態による、方向転換堤防を固定するための土製アンカー（ｅａｒｔｈｅｎ  ａｎｃｈｏｒ）を示す図である。示されているように、方向転換堤防１００のセクションは、ピラミッド形状に積み重ねられた複数の可撓性の封じ込めチューブ１０を含む。すなわち、ピラミッドタイプ形状に関して、ベース層は、複数のチューブを含み、チューブの数は、追加的な層が追加されるにしたがって減少している。示されているように、方向転換堤防１００の図示されているセクションは、３−２−１ピラミッド構成になっており、３−２−１ピラミッド構成は、３つのチューブ１０ａ、１０ｂ、１０ｃのベース層（たとえば、第１の層）を有しており、それは、それぞれの後続層に関して１つずつ減少している（たとえば、第２の層の中のチューブ１０ｄ、１０ｅ、および、最上層の中のチューブ１０ｆ）。他の構成は、第１の層の中に追加的なまたはより少ないベースチューブを含むことが可能であり、また、２つ以上のチューブを含む最上層を有することが可能である。たとえば、４−３−２−１、５−４−３、５−３−２−１などのピラミッド構成が実現され得る。
【００１８】
１つの実施形態では、チューブ１０は、可撓性の流体封じ込め構造体 であり、それは、所望の構成で、たとえば、単独で、または、図１に図示されているようなピラミッド形状の堤防セクション１００などで設置されている。チューブ１０は、端部と端部を接続して設置され、チューブ本体部自身よりも長い方向転換堤防を構築することが可能である。いくつかの実施形態では、堤防セクション１００は、封じ込めのための流体を保持するかまたは流体を方向転換させるかのいずれかのために、囲いまたは囲まれたエリア（たとえば、正方形、円形、矩形、または他の形状）を形成するように配置され得る。そのような場合に、チューブ端部の位置は、ずらして配置され得る。したがって、たとえば、追加的な方向転換堤防セクションが共に当接され、より長いバリアを生成するとき、または、１つの堤防セクションと別の堤防セクションとの間の角度を生成するときに、図１に図示されているチューブ１０の端部は、同一平面上になくてもよく、ずらして配置され得る。
【００１９】
例示的な可撓性の封じ込めチューブ１０は、充填されるとき、おおよそ１００フィート（３０．４８ｍ）の長さになっており、１フィート（３０．４８ｃｍ）から３フィート（９１．４４ｃｍ）を超える直径を有しており、７５０，０００ガロン（２８３９ｍ3）を超える体積を有することが可能である。したがって、チューブ重量は、寸法およびそれを充填するために利用される材料に基づいて、おおよそ３トンからはるかに大きな重量までの範囲にあることが可能である（たとえば、水対コンクリート、または、ガスを利用するときには著しく軽い）。充填する前に、チューブは、コンパクトな保管および輸送のためにその長さに沿って巻かれ得る。それらの可撓性の性質に起因して、それぞれの封じ込めチューブ１０の長さは、空になっているときに、たとえば、正方形、「７」、円弧など、ほぼ任意の形状をとるように位置決めされ、構造体の周りにバリアを構築し、障害物を回避することが可能である。たとえば、木々、他の障害物、または、土地の境界線が考慮される必要があるエリアにおいて、チューブ１０は、空になっているときに、木々または他の障害物の周りに容易に位置決めされ、次いで、充填され得る。  
チューブ１０自身は、現場で容易に入手可能であり得る、水またはガス（たとえば、空気）、コンクリート、または他の物質など、流体を貯蔵するように構成されている。弁は、可撓性の封じ込めチューブの可撓性の本体部の中に配設され、連結部から充填装置へ流体を受け入れることが可能であり、充填装置は、１または複数の弁を介したチューブの中への流体のフローを容易にする。弁は、さらに、望ましくない流体の放出を防止するように構成され得る。したがって、障害物の周りに所望の構成で設置されると、１または複数のチューブが、弁に連結されている流体充填装置を介して充填され得る。例示的な流体充填装置は、ポンプまたはホースまたはパイプを含むことが可能であり、それは、ポンプまたは重力によって、および、ガスの場合、加圧されたキャニスタまたは圧縮機によって、流体を供給され得る。実際には、たとえば、チューブ１０ａ〜ｃのベース層が設置されると、それらは、それぞれのチューブの中に配設されている弁に連結されたホースおよびポンプなど、充填装置を介して充填され得、また、追加的なチューブ（たとえば、チューブ１０ｄ〜ｆ、または、当接するチューブ（図示せず））が設置され、その後に、所望の通りに充填装置を介して充填され、オンデマンドの流体封じ込めまたは方向転換を提供することが可能である。
【００２０】
チューブ１０または複数のチューブ（たとえば、ピラミッド構成になっているもの）は、さまざまな方式で固定され得、そのいくつかは、方向転換堤防セクション１００に関する例によって図示されている。１つの実施形態によれば、チューブ１０は、チューブの可撓性の本体部に連結されている１または複数のストラップループ３２を含むことが可能である。ストラップループ３２は、所与の幅のストラップ１３を収容するのに十分に大きい直径を有している。たとえば、所与のストラップループ３２は、最大で２．５ｉｎ（６．３５ｃｍ）幅を有するストラップ１３を収容するために２．７５ｉｎ（６．９８５ｃｍ）の直径を有することが可能であり、最大で３ｉｎ（７．６２ｃｍ）幅のストラップ１３を収容するために３．２５ｉｎ（８．２５５ｃｍ）の直径を有することが可能であるなどとなっている。チューブ１０の可撓性の本体部に連結されているストラップループ３２は、対応するストラップ１３の使用によって、それらの長さに沿ったチューブのシフトを防止することを支援し、さらに、堤防セクション１００に関するそれらの所望の構成において、チューブの位置を維持することを支援している。２つのストラップループ３２ａ、３２ｂだけが図示され、すなわち、チューブ１０ａおよび１０ｃのそれぞれに関してそれぞれ１つが図示されているが、チューブ１０ａおよび１０ｃは、それらの可撓性の本体部の周りおよび下に所望の通りに位置決めされている追加的なストラップループ３２を含むことが可能である。さらに、他のチューブは、可撓性の本体部に近接するストラップ１３を収容するためのストラップループ（図示せず）を含むことが可能である。たとえば、チューブ１０ｂ、１０ｄ、１０ｆ、および１０ｅのうちの１または複数は、それらの可撓性の本体部に連結されているストラップループを含むことが可能であり、ストラップ１３がストラップループを通して挿入され、チューブの位置を維持することができるようになっている。より大きいピラミッドフォーメーションでは、たとえば、４−３−２−１では、内部チューブ１０は、堤防セクションの外部の周りに巻き付けられた所与のストラップ１３に近接しておらず、ストラップは、チューブ同士の間に織り交ぜられ得、および／または、追加のストラップが利用され得る。たとえば、第１のストラップは、４−３−２−１堤防セクションの外部の周りに巻き付けるために利用され得、第２のストラップは、３−２−１部分の周りに巻き付けるために利用され得、それは、４つのチューブベース層を構成するチューブに連結されているストラップループを通してさらに挿入され得る。
【００２１】
示されているように、ストラップ１３は、チューブ１０ａおよび１０ｃのストラップループ３２ａ、３２ｂをそれぞれ通され、また、堤防セクション１００の周りを通され、堤防セクションのチューブ１０を共に固定する。示されてはいないが、ストラップ１３は、他のチューブの任意の追加的な数のストラップループ（同様に図示せず）を通され得る。上記に説明されているように、ストラップループ３２およびストラップ１３は、それらの長さに沿ってチューブのシフトを防止することを支援し、堤防セクション１００に関するそれらの所望の構成でチューブを維持するが、それらは、地面１０１に対する堤防セクション１００全体のシフトを防止しない。
【００２２】
ある実施形態では、地面１０１に固定されている土製アンカー３は、地面１０１に対する個々のチューブまたは堤防セクション１００のシフトを防止することを支援する。示されているように、土製アンカー（たとえば、３ａおよび３ｂ）は、ベースレベルの縁部において、その長さに沿って、チューブ（たとえば、１０ａおよび１０ｃ）の本体部に隣接して設置され得る。たとえば、土製アンカー３ａは、杭５および杭打ち込み部分７などの基礎を固定する機構を含む。たとえば、打ち込み部分７は、土製アンカー３ａの中の開口部であり、杭５を受け入れることが可能である。杭５および打ち込み部分７の構成は、打ち込み部分が、地面１０１の中へ打ち込まれる杭の先端部およびシャフトを受け入れることができるが、杭の他の端部を受け入れないようになっていることが可能である。このように、杭５が打ち込み部分７を通して地面１０１の中へ十分に打ち込まれると、アンカー３ａが、杭５から除去されることができない。換言すれば、杭５が杭打ち込み部分７を通して地面１０１の中へ打ち込まれると、土製アンカー３ａは、杭５が地面１０１から除去されるまで、地面１０１に固定されているままである。
【００２３】
杭５の実施形態は、地面１０１の組成に基づいて異なっていることが可能である。たとえば、コンクリート地表面のための杭５は、土、粘土、砂などのための杭とは異なっていることが可能である。さらに、杭５の異なる長さは、地面タイプに基づいて、地面１０１の中の特定の深さに到達するように選ばれ得る。たとえば、コンクリートのための杭５は、土のための杭よりも短い長さのものであることが可能であるが、しかし、それらは、除去に対して同様の抵抗を提供することが可能である。杭５は、らせん状のリッジを備えて構成され得、らせん状のリッジは、スクリュのものと同様に、地面１０１の中へ打ち込まれる先端部において始まり、反対側端部に向けてシャフトまで延在しており、一方向への杭の回転が杭の先端部を地面１０１の中へさらに打ち込み、また、反対側方向への杭の回転が、杭を地面から戻すようになっている。
【００２４】
土製アンカー３は、土製アンカーの中に配設されているストラップループ９を含むことが可能であり、チューブ１０の周りのストラップ１３は、ストラップループ９を通され、または、そうでなければ、（たとえば、ストラップの端部において）ストラップループ９に取り付けられ得る。ストラップループ９は、ストラップループ（たとえば、３２ａ）と同様の直径を有するように構成され、ストラップ１３を受け入れることが可能である。ストラップループ９を含むことは、隣接するチューブ１０に対して土製アンカー３を固定し、また、アンカーに対してチューブを固定する。たとえば、示されているように、ストラップ１３は、土製アンカー３ａのストラップループ９を通され、チューブ１０ａの本体部に対して土製アンカー３ａを固定する。いくつかの実施形態では、杭５だけが使用され得、その場合、杭５の上部端部は、ストラップ１３を受け入れるためのストラップループを含む。杭５の上部端部における例示的なストラップループは、メタルアイ（ｍｅｔａｌ  ｅｙｅ）であり、または、ストラップ１３自信を受け入れるのに十分な直径または開口部を有するフックであることが可能である。
【００２５】
１または複数の追加的な土製アンカー（図示せず）は、所望の通りに、チューブ１０ａの本体部の長さに沿って設置され得る。追加的に、示されているように、土製アンカー３ａ、３ｂは、堤防セクション１００（または、他の実施形態では、個々のチューブ）のそれぞれの側に、その長さに沿って設置され得る。土製アンカー３ｂは、土製アンカー３ａのものと同様の方式で構成され、チューブ１０ｃおよび地面１０１に対してアンカー３ｂを固定し、地面に対する堤防セクション１００のシフトを防止することが可能である。
【００２６】
堤防セクション１００の長さ当たりのアンカー３の数は、堤防セクションの長さ、および、堤防セクションの高さにより決定されてもよい。堤防セクション１００が高くなればなるほど、多くのアンカー３が使用され得る。その理由は、堤防セクションに対する封じ込められている流体の水平方向の力が、封じ込められている流体の深さとともに増加するからである。この水平方向の力は、静水圧力またはＨｋとして知られており、それは、封じ込められている流体の比重量（ｒ）、および、封じ込められている流体の深さ（ｈ）の２乗によって特徴付けられる。具体的には、Ｈｋ＝（ｒ／２）＊ｈ2であり、Ｈｋの作用線は、堤防セクションのベースの上方にｈ／３にある。堤防セクション１００は、適切な場所に残るように、静水圧力に抵抗しなければならない。図９を簡潔に参照すると、グラフは、封じ込められている流体のインチでの高さの増加に伴う静水圧力に起因する、堤防セクション１００の１０フィート（３．０４８ｍ）当たりの力の指数関数的な増加を（１０００ｌｂ（４５３．６ｋｇ）で）図示している。１つの実施形態では、それぞれが２〜１０トンの固定力を提供する杭を備える、おおよそ３つのアンカー３が、ピラミッド構成のチューブ１０ごとに、堤防セクション１００の１００ｆｔ（３０．４８ｍ）長さ当たりに利用されている（その理由は、チューブの数は、堤防セクションの高さに相関しており、したがって、封じ込められている流体の起こり得る高さに相関しているからである）。上記の固定スキームでは、堤防セクション１００が単独で静水圧力に耐えなければならない力を増加させる波の作用など、追加的な水平方向の力に対して保護するように、安全率が組み込まれ得る。たとえば、堤防セクションごとに利用される複数の杭によって提供される固定力が静水圧力に厳密に合致されている場合には、本明細書で説明されている他の強化特徴（たとえば、封じ込めエリアの中へ延在するベーパバリアを含むこと）に伴って、チューブ自身の重量が、十分な安全率を提供することが可能である。
【００２７】
図２は、例示的な実施形態による、ベーパバリア１５を固定するための土製アンカーを示す図である。図２に示されている土製アンカー３は、図１のものと同様の構成のものであってもよい。たとえば、土製アンカー３は、ストラップを用いてチューブ１０ａに対してアンカーを固定するためのストラップループ（図示せず）を含むことが可能であり、それは、堤防セクション２００の周りに、または、堤防セクションの中のチューブ１０を通して巻き付けられ得る。堤防セクション２００のチューブ１０自身は、図１のものと同様の構成で示されている。
【００２８】
図１の実施形態と比較して、図２に図示されている堤防セクション２００は、ベーパバリア１５を含み、堤防セクション２００を通る流体の侵入に対して追加的な抵抗を提供する。１つの実施形態では、ベーパバリア１５は、ポリビスクイーンなど防水材料であり、またはその表面を通る流体の浸入を防止する他の材料である。ある実施形態では、ポリビスクイーンは、厚さが５〜１５ミリメートルの間にある。いくつかの実施形態では、ポリビスクイーンは、たとえば、ナイロンストランド（たとえば、ストリング）など埋め込まれたウェビング材料によって強化されている。
【００２９】
ベーパバリア１５は、構成に応じて、堤防セクション２００のチューブの上に巻き付け、堤防セクション２００のチューブの下に巻き付け、および／または、堤防セクション２００のチューブを通して巻き付けることが可能である。追加的に、ベーパバリア１５は、堤防セクション２００の一部分または全体の長さに沿って延在することが可能であり、また、堤防セクションの長さ全体または一部分にわたって延在するために、複数の重複セクションを含むことが可能である。１つの実施形態では、ベーパバリア１５は、堤防セクション２００の長さにわたって延在しており、チューブ端部は、（たとえば、２つの堤防セクション２００の接合部において）互いに対して当接されており、チューブ１０自身よりも長い堤防セクションを生成する。２つの堤防セクション２００の接合部は、一列に、ある角度に、または、他の構成になっていてもよい。ピラミッド堤防セクション２００の場合、１または複数のチューブは、ベンドを容易にするようにずらして配置され得る（たとえば、バリアの内部にあるチューブ１０ｂ、１０ｃ、１０ｅは、直角のベンドのために、チューブ１０ａ、１０ｄ、１０ｆから後ろにずらして配置され得る）。同様に、追加的な堤防セクションの対応するチューブは、それらが堤防セクション２００のチューブ１０に当接し、直角にベンドする接合部を形成するように構成され得る（たとえば、ずらして配置されている）。
【００３０】
ベーパバリア１５構成は、堤防セクション２００のリア１５ｂの下から延在する一部分と、封じ込めエリアの一部を形成する堤防セクションのフロントベースから堤防セクションのフロント１５ａを上向きに延在する一部分とを含むことが可能である。図示されている構成では、ベーパバリア１５は、土製アンカー３の下に延在しており、土製アンカー３は、ベーパバリアを通した地面１０１の中への杭５の打ち込みを通して、ベーパバリア１５を地面１０１に固定する。さらに、ベーパバリア１５は、リア部分１５ｂにおいて折り畳まれ得、堤防セクションのフロントベースからフロント部分１５ａが、堤防セクション２００のフロント面を上向きに延在するようになっており、また、追加的な部分１５ｃが、堤防セクションのフロントベースから地面１０１に沿って流体封じ込めエリアの中へ延在することが可能である。追加的な部分１５ｃは、堤防セクション２００のフロントベースから封じ込めエリアの中に１〜３ヤード（０．９１４４〜２．７４３ｍ）以上の長さに延在し、封じ込められている流体による堤防セクション２００の下の地面１０１の浸食を軽減し得る。追加的な部分１５ｃは、延長された端部において、追加的な土製アンカー、および／または、ウェイト（図示せず）によって、地面１０１に固定されてもよい。
【００３１】
土製アンカー３は、傾斜した面８を備えて構成され得、それが封じ込めエリアを形成するフロントベースから堤防セクション２００のフロント面を上向きに延在するときに、ベーパバリアの部分１５ａがその上に横たわるように、隣接するチューブ１０ａの本体部につながる緩やかな傾きを提供している。追加的に、土製アンカー３の打ち込み部分７は、杭５の打ち込み端部が土製アンカー３の傾斜した面８を越えて延在しないように構成され得る。このようにして、封じ込めエリアの中の堤防セクション２００のフロント面につながるベーパバリアの部分１５ａの破れまたは穿刺が軽減され得る。
【００３２】
図３Ａは、例示的な実施形態による、方向転換堤防を構築する際のベーパバリア１５構成を示す図である。図３Ａに示されている土製アンカー３ａ、３ｂは、図１のものと同様の構成のものであってもよい。たとえば、土製アンカー３ａ、３ｂは、ストラップを用いてチューブ１０ａ、１０ｃに対してアンカーをそれぞれ固定するためのストラップループ（図示せず）を含むことが可能であり、それは、堤防セクション３００ａの周りに、または、堤防セクションの中のチューブ１０を通して巻き付けられ得る。堤防セクション３００ａのチューブ１０自身は、図１のものと同様の構成で示されている。
【００３３】
図１の実施形態と比較して、図３Ａに図示されている堤防セクション３００ａは、ベーパバリア１５を含み、堤防セクション３００ａを通る流体の浸入に対して追加的な抵抗を提供する。１つの実施形態では、ベーパバリア１５は、ポリビスクイーンなど防水材料であり、またはその表面を通る流体の浸入を防止する他の材料である。ある実施形態では、ポリビスクイーンは、厚さが５〜１５ミリメートルの間にある。いくつかの実施形態では、ポリビスクイーンは、たとえば、ナイロンストランド（たとえば、ストリング）など埋め込まれたウェビング材料によって強化されている。
【００３４】
ベーパバリア１５は、構成に応じて、堤防セクション３００ａのチューブの上に巻き付け、堤防セクション３００ａのチューブの下に巻き付け、および／または、堤防セクション３００ａのチューブを通して巻き付けることが可能である。追加的に、ベーパバリア１５は、堤防セクション３００ａの一部分または全体の長さに沿って延在することが可能であり、また、堤防セクションの長さ全体または一部分にわたって延在するために、複数の重複セクションを含むことが可能である。１つの実施形態では、ベーパバリア１５は、堤防セクション３００ａの長さにわたって延在しており、チューブ端部は、（たとえば、２つの堤防セクション３００ａの接合部において）互いに対して当接されており、チューブ１０自身よりも長い堤防セクションを生成する。２つの堤防セクション３００ａの接合部は、一列に、ある角度に、または、他の構成になっていてもよい。ピラミッド堤防セクション３００ａの場合、１または複数のチューブは、ベンドを容易にするようにずらして配置され得る（たとえば、バリアの内部にあるチューブ１０ｂ、１０ｃ、１０ｅは、直角のベンドのために、チューブ１０ａ、１０ｄ、１０ｆから後ろにずらして配置され得る）。同様に、追加的な堤防セクションの対応するチューブは、それらが堤防セクション３００ａのチューブ１０に当接し、直角にベンドする接合部を形成するように構成され得る（たとえば、ずらして配置されている）。
【００３５】
ベーパバリア１５構成は、堤防セクション３００ａのリア１５ｂの下から延在し、また、封じ込めエリアの一部を形成する堤防セクションのフロントベースから堤防セクションのフロント１５ａを上向きに延在する一部分を含むことが可能である。図示されている構成に示されているように、ベーパバリア１５は、土製アンカー３ａの下に延在しており、土製アンカー３ａは、ベーパバリア１５を通した地面１０１の中への杭５の打ち込みを通して、ベーパバリア１５を地面１０１に固定する。さらに、ベーパバリア１５は、リア部分１５ｂにおいて折り畳まれ得、堤防セクションのフロントベースからフロント部分１５ａが、堤防セクション３００ａのフロント面を上向きに延在するようになっており、また、追加的な部分１５ｃが、堤防セクションのフロントベースから地面１０１に沿って流体封じ込めエリアの中へ延在することが可能である。追加的な部分１５ｃは、堤防セクション３００ａのフロントベースから封じ込めエリアの中に１〜３ヤード（０．９１４４〜２．７４３ｍ）以上の長さに延在し、封じ込められている流体による堤防セクション３００ａの下の地面１０１の浸食を軽減することが可能である。追加的な部分１５ｃは、延長された端部において、追加的な土製アンカー、および／または、ウェイト（図示せず）によって、地面１０１に固定されてもよい。
【００３６】
１つの実施形態では、土製アンカー３ａは、傾斜した面を備えて構成されており、それが封じ込めエリアを形成するフロントベースから堤防セクション３００ａのフロント面を上向きに延在するときに、ベーパバリア１５の部分１５ａがその上に横たわるように、隣接するチューブ１０ａの本体部につながる緩やかな傾きを提供している。さらに、いくつかの実施形態では、それを通して杭５が打ち込まれる土製アンカー３ａの打ち込み部分（図示せず）は、杭５の打ち込み端部が土製アンカーの傾斜した面を越えて延在しないように構成され得る。このようにして、封じ込めエリアの中の堤防セクション３００ａのフロント面につながるベーパバリア部分１５ａの破れまたは穿刺が軽減され得る。
【００３７】
図３Ａに図示されている実施形態では、杭１７の打ち込みを介して地面１０１に固定されている第２の土製アンカー３ｂは、たとえば、土製アンカー１５ｂの下のベーパバリア１５ｂの部分１５ｂのリア端部を堤防セクション３００ａのリアベースに位置決めすることによって、および、ベーパバリアの部分１５ｂのリア端部を通して地面の中へ杭１７を打ち込むことによって、ベーパバリア１５の部分１５ｂのリア端部を地面１０１にさらに固定している。追加的に、堤防セクションのフロントベースから堤防セクション３００ａのフロント面を上向きに延在するベーパバリア部分１５ａは、堤防セクション３００ａの上部を越えて土製アンカー３ｂに固定されており、たとえば、接続ストラップ１９を介して、杭１７に、または、土製アンカー３ｂのストラップループ（図示せず）に固定されている。いくつかの実施形態では、ベーパバリア１５のフロント部分１５ａは、堤防セクション３００ａの上部を越えて堤防セクションのリアベースへ延在するのに十分な長さのものであることが可能であり、土製アンカー３ｂに固定され、または、接続ストラップ１９の支援なしに土製アンカー３ｂを介して固定される。いずれの場合でも、ベーパバリア１５は、土製アンカー、杭、および／または、ストラップを介して、地面１０１に固定されている。
【００３８】
１または複数のチューブ１０の堤防セクション３００ａの両側でベーパバリア１５を地面１０１に固定することは、いくつかの予期せぬ利益を提供する。また、チューブ１０自身も、（たとえば、図１を参照して説明されているように）地面１０１に固定され得る。したがって、たとえば、ベーパバリア１５が流体に対して不浸透性である場合には、たとえば、ポリビスクイーンから構築されたベーパバリアのケースなどでは、チューブ１０は、堤防セクション３００ａに形状を提供することだけを必要とする。その理由は、封じ込めエリアの中のフロントベースから堤防セクションのフロント面を上向きに延在するベーパバリアの部分１５ａが、堤防セクションを通る流体移送を実質的に防止するからである。したがって、図３Ａに図示されているものなど構成では、チューブ１０は、封じ込められている流体とは実質的に異なる密度の物質で充填され得る。たとえば、水など流体の封じ込めを考えるときに、チューブ１０は、空気または他のガスで充填され得る。封じ込められている流体が、ベーパバリアのフロント部分１５ａに対して上昇するときに、流体の圧力は、深さとともに増加し、封じ込められている流体の表面下のベーパバリアのフロント部分を、チューブ１０ａの本体部に対して、次いで、チューブ１０ｄに対して、などと圧縮する。堤防セクション３００ａのピラミッド形状、および、封じ込めエリアの中の堤防セクションのフロント面に沿って、チューブに押し付けられている不浸透性ベーパバリアのフロント部分１５ａに起因して、封じ込められている流体の深さが増加するにつれて、封じ込められている流体の柱が、封じ込められている流体の表面下で、堤防セクションのフロント面のより低いレベルの上のチューブの部分の上に発達する。たとえば、封じ込められている流体の柱は、チューブ１０ａ、次いで１０ｂなどの一部分の上に発達する。その理由は、封じ込められている流体の深さが増加するときに、それらが、封じ込められている流体の表面下に入るからである。チューブの一部分の上にあり、封じ込められている流体の表面下にある、封じ込められている流体の柱の重量は、封じ込められている流体の深さとともに増加する（すなわち、その理由は、柱の高さは、封じ込められている流体の深さとともに増加するからである）。ベーパバリアのフロント部分１５ａは封じ込められている流体に対して不浸透性であるので、チューブ（たとえば、１０ａ）の一部の上に発達している流体の柱の重量が、ベーパバリアを通してチューブを押し下げる。ベーパバリアのフロント１５ａを介して、下側レベルチューブ、たとえば、チューブ１０ａに作用する、封じ込められている流体の重量のこの下向きの力は、堤防セクション３００ａのシフトを防止することを支援する。たとえば、下向きの力は、堤防セクション３００ａを固定する１または複数のアンカー、杭、および／またはストラップと協調して働き、封じ込められている流体が堤防セクションを押しのけるのに十分な水平方向の力を発生することを防止する。さらに、堤防セクション３００ａをこのように構成することによって発生される下向きの力に起因して、いくつかの実施形態では、チューブ１０は、封じ込められている流体よりも小さい密度を有する流体で充填され得る。具体的には、封じ込めエリアの中の堤防セクション３００ａのフロント面に沿ったチューブは、封じ込められている流体の表面が上昇するときに、封じ込められている流体自身によって、地面１０１に（および、下側レベルチューブに対して）下向きに押し付けられるので、封じ込められている流体が堤防セクションの下におよび／または堤防セクションを通して侵入することの軽減、ならびに、堤防強度が、非常に改善され、チューブを充填する流体の密度、および／または、アンカー強度が低減され得るようになっている。このようにして、チューブをガスで完全に充填することは、実際には実施されない可能性があるが、チューブ１０を充填する際に利用される流体の量は、堤防セクション３００ａの有効性を低減することなく、たとえば、水で部分的に充填することを通して、および、たとえば、空気で部分的に充填することを通して、実質的に低減され得る。
【００３９】
図３Ｂ１および図３Ｂ２は、例示的な実施形態による、方向転換堤防を構築する際のベーパバリア１５構成を示す図である。示されてはいないが、杭１７ａおよび１７ｂは、土製アンカーを通して打ち込まれ、ベーパバリア１５を地面１０１に固定することが可能である。いくつかの実施形態では、チューブ１０の重量がベーパバリアを地面に保持するので、杭１７ａおよび／または杭１７ｂは、ベーパバリア１５を地面１０１に固定するために利用される。たとえば、フロント杭１７ａだけが、ベーパバリア１５を地面１０１に固定するために実装され得る。堤防セクション３００ｂのチューブ１０自身は、図１のものと同様の構成で示されている。
【００４０】
図３Ｂ１に図示されている堤防セクション３００ｂは、ベーパバリア１５を含み、堤防セクション３００ｂを通る流体の浸入に対して追加的な抵抗を提供し、また、堤防セクション３００ｂの追加的な強化を提供する。１つの実施形態では、ベーパバリア１５は、ポリビスクイーンなど防水材料であり、その表面を通る封じ込められている流体の侵入を防止する。
【００４１】
ベーパバリア１５は、構成に応じて、堤防セクション３００ｂのチューブの上に巻き付け、堤防セクション３００ｂのチューブの下に巻き付け、および／または、堤防セクション３００ｂのチューブを通して巻き付けることが可能である。追加的に、ベーパバリア１５は、堤防セクション３００ｂの一部分または全体の長さに沿って延在することが可能であり、また、堤防セクションの長さ全体または一部分にわたって延在するために、複数の重複セクションを含むことが可能である。１つの実施形態では、ベーパバリア１５は、堤防セクション３００ｂの長さにわたって延在しており、チューブ端部は、（たとえば、２つの堤防セクション３００ｂの接合部において）互いに対して当接されており、チューブ１０自身よりも長い堤防セクションを生成する。２つの堤防セクション３００ｂの接合部は、一列になっており、ある角度になっており、または、他の構成になっていることが可能である。ピラミッド堤防セクション３００ｂの場合、１または複数のチューブは、ベンドを容易にするようにずらして配置され得る（たとえば、バリアの内部にあるチューブ１０ｂ、１０ｃ、１０ｅは、直角のベンドのために、チューブ１０ａ、１０ｄ、１０ｆから後ろにずらして配置され得る）。同様に、追加的な堤防セクションの対応するチューブは、それらが堤防セクション３００ｂのチューブ１０に当接し、直角にベンドする接合部を形成するように構成され得る（たとえば、ずらして配置されている）。
【００４２】
図３Ａの実施形態と比較して、図３Ｂ１のベーパバリア１５は、堤防セクション３００ｂのフロントベースの下から堤防セクションのリアベースへ延在する一部分１５ｂと、リアの周りおよび堤防セクションの上部を越えて巻き付ける一部分１５ｄと、堤防セクションの上部から堤防セクション３００ｂのフロント面を下向きに堤防セクションのフロントベースへ延在する一部分１５ａとを含み、一部分１５ｃが、堤防セクションのフロントベースから流体封じ込めエリアの中へ地面１０１に沿って延在し続けている。示されているように、ベーパバリア１５は、フロントにおいて、地面杭１７ａによって、および、随意的に、リアにおいて、追加的な杭１７ｂによって、地面１０１に固定され得、それは、地面アンカー（図示せず）を通して打ち込まれ得る。堤防セクション３００ｂの前から延在するベーパバリアの部分１５ｃは、堤防セクションのフロントベースから封じ込めエリアの中へ１〜３ヤード（０．９１４４〜２．７４３ｍ）以上の長さに延在し、堤防セクション３００ｂの下の地面１０１の浸食を軽減することが可能である。封じ込めエリアの中へ延在するベーパバリアの部分１５ｃは、堤防セクション３００ｂのフロントベースに近接して、および、その端部において、地面１０１に固定され得る。たとえば、ベーパバリアの部分１５ｃは、堤防セクション３００ｂのフロントベースのフロント面に近接して、および、延長された端部において、追加的な土製アンカーおよび杭（図示せず）によって、および／または、示されているように、それぞれウェイト３１ａおよび３１ｂによって、地面１０１に固定され得る。
【００４３】
図示されている実施形態では、堤防セクション３００ｂのフロント面を下向きに延在するベーパバリアの部分１５ａ、および、堤防セクションのフロントベースから封じ込めエリアの中へ延在し続けるベーパバリアの部分１５ｃは、堤防セクション３００ｂに対する封じ込められている流体の静水圧力に抵抗する際に、いくつかの予期せぬ利益を提供する。具体的には、ベーパバリアの部分１５ｃを押し下げる封じ込められている流体の柱の重量によって、および、封じ込められている流体の表面下にある堤防セクション３００ｂのフロント面を下向きに延在するベーパバリアの部分１５ａを押し下げる封じ込められている流体の柱の重量によって、ベーパバリアに対する流体の柱の下向きの力の結果として生じる効果は、ボード（たとえば、ベーパバリア１５）の上に人が立っている（たとえば、流体の重量）のと同時に、ボードを持ち上げようとしている（たとえば、堤防セクション３００ｂのフロント面に対する静水圧力に起因する横方向の力）のと同様である。図１０を簡潔に見てみると、図は、堤防セクションのフィート長さ当たりのポンドで示されている封じ込められている流体の横方向の力と比較して、１Ｖ（垂直方向）：１Ｈ（水平方向）の比率を有する堤防にかかる、例示的な封じ込められている流体（水）の下向きの力を、堤防セクションのフィート長さ当たりのポンドで図示するように示されている。１Ｖ：１Ｈの比率は、４５度の傾斜を備えたフロント面を有する例示的な堤防セクションを表しており、たとえば、垂直方向の堤防高さの１フィート（３０．４８ｃｍ）ごとに、堤防のフロントベースが封じ込めエリアの中へ水平方向に１フィート（３０．４８ｃｍ）延在する、ピラミッド形状の堤防セクションの近似を表している。柱高さに起因して封じ込められている流体によって発生される下向きの力は、封じ込められている流体の高さが上昇するにつれて、静水圧力の水平方向の力とともに増加する。下向きの力は、封じ込められている流体の比重量（ｒ）、封じ込められている流体の深さ（ｈ）、および、堤防の水平方向に対する垂直方向の比率によって特徴付けられる。例示的な１Ｖ：１Ｈの比率に関して、深さ（ｈ）を有する流体によって発生される下向きの力は、ｒ／２＊ｈ＾2に等しい。したがって、静水圧力が、堤防セクション３００ｂのフロント面に対して横方向に（たとえば、水平方向に）作用するとき、セクション１５ｃおよびベーパバリアの傾斜したフロント面１５ａにかかる（したがって、チューブにかかる）水柱の下向きの力は、静水圧力の横方向の力に起因する堤防の移動に抵抗することを支援する。
【００４４】
図３Ｂ１を続けて見ると、示されているように、リアベースから堤防セクション３００ｂの上部へリア面を上向きに延在するベーパバリアの部分１５ｄは、堤防セクションの内部の中のチューブ１０のうちの１または複数の間を通され、堤防セクションのフロント面を下向きに延在するベーパバリアの部分１５ａに対する、水柱の下向きの力の引っ張り作用に抵抗することを支援する。図３Ｂ２は、代替的な構成を図示しており、リア面を上向きに延在するベーパバリアの部分１５ｄは、堤防セクション３００ｂの内部の中のチューブ１０のうちの１または複数の間の内部を通されていない。この例では、１または複数の杭および／または地面アンカー、ならびに、堤防セクション３００ｂの下に延在するベーパバリアの部分１５ｂの上のチューブ１０の重量は、堤防セクションのフロント面を下向きに延在するベーパバリアの部分１５ａに対する下向きの力の引っ張り作用に抵抗する。チューブの重量および／または杭およびアンカーが引っ張り作用に抵抗するのに十分な強度を提供するときに、図３Ｂ２に図示されている構成は、実装するのにより簡単であり得る。
【００４５】
図３Ｃ１および図３Ｃ２は、例示的な実施形態による、方向転換堤防セクションを構築する際のベーパバリア１５構成を示す図である。具体的には、図３Ｃ１および図３Ｃ２は、封じ込められている流体が、堤防セクションのフロント面におけるベーパバリアの部分１５ａ、および／または、封じ込めエリアの中に延在するベーパバリアの部分１５ｃの下に、および／または、それらを通って浸出するときの、図３Ｂ１および図３Ｂ２に図示されているものと同様の方向転換堤防構築の追加的な利益を図示している。
【００４６】
図３Ｃ１に示されているように 、浸出ギャップ３３が、堤防セクション３００ｃのフロントベースからチューブ１０ｃの下を通りリアベースに延在するベーパバリアの部分１５ｂと、フロント面を下向きにフロントベースへおよび封じ込めエリアの中へ延在するベーパバリアの部分１５ａ、１５ｃとの間に存在することが可能である。封じ込められている流体３２のレベル３５ａが封じ込めエリアの中で上昇するとき、封じ込められている流体は、封じ込めエリアの中へ延在するベーパバリアの部分１５ｃを越えて地面１０１の中へ浸出することが可能である。そして、封じ込められている流体は、地面１０１からギャップ３３を通して上向きに浸出し、また、チューブ１０を包んでいるベーパバリアの内部３４の中へ浸出することが可能である。追加的に、封じ込められている流体は、堤防セクション３００ｃに沿ってベーパバリア１５の重複セクションにおいて、または、穿刺を介して、内部３４の中へ浸出することが可能であり、穿刺は、封じ込めエリアの中のベーパバリアの延長された部分１５ｃ、および／または、フロント面を下向きに延在するベーパバリアの部分１５ａの中に起こり得る。
【００４７】
堤防セクション３００ｃの下に延在するベーパバリアの部分１５ｂが固定されているままであり、かつ、ベーパバリアの部分１５ｂおよび部分１５ｄが、相対的に穿刺がない状態のままである限り（すなわち、穿刺は、堤防セクションの内部３４の中への浸出の速度よりも速く流体が逃げることを可能にはしない）、浸出する流体は、ベーパバリア１５によって堤防セクションの内部の中に実質的に封じ込められる。そして、堤防セクション３００ｃの内部３４の中に浸出する流体のレベル３５ｂは、封じ込められている流体の表面レベル３５ａと実質的に同様のレベルに上昇することが可能である。
【００４８】
封じ込めエリアから堤防セクション３００ｃの内部３４の中への封じ込められている流体３２の浸出は、最初に、堤防セクション３００ｃの故障のように見える可能性があるが、しかし、内部３４の中に浸出する流体をベーパバリア１５が十分に保持するときは、これは、当てはまらない。実際に、いくつかの予期せぬ利益が、そのような場合に得られる。堤防セクション３００ｃの内部３４の中の流体のレベル３５ｂが上昇するとき、それは、封じ込めエリアの中の封じ込められている流体のレベル３５ａに起因して、堤防セクションのフロント面の上の静水圧力に対抗する。具体的には、封じ込めエリアの中の封じ込められている流体３２が堤防セクション３００ｃのフロント面に作用する横方向の力（それは、堤防セクションの全体をシフトさせる可能性がある）を発生する一方、堤防セクションの内部３４の中の流体も同様に発生するが、それは、反対側方向になっている。実際に、内部３４の中の流体のレベル３５ｂが封じ込めエリアの中に封じ込められている流体３２のレベル３５ａに実質的に等しいとき、内部の中の流体のレベルに起因して、内部の中から、ベーパバリアの部分１５ａをフロント面から離れるように（たとえば、封じ込めエリアの中へ）押す横方向の力は、封じ込めエリアの中の流体のレベルに起因して、ベーパバリアの部分１５ａをフロント面の中へ押す横方向の力を実質的に相殺する。したがって、堤防セクション３００ｃの中の流体レベル３５ｂが上昇するとき、堤防セクションのフロント面に対する封じ込められている流体３２の力が低減されるので、堤防セクションは、シフトしにくくなる。
【００４９】
堤防セクションの内部３４の中の流体レベル３５ｂが上昇するときに、封じ込められている流体３２の静水圧力に起因する堤防セクション３００ｃのフロント面に対する力が軽減され得るが、内部の中の流体は、堤防セクションの背面におけるベーパバリアの部分１５ｄに対して、堤防セクションの内部から外向きに作用する横方向の力を発生する。この理由のために、ベーパバリア１５の実施形態は、強化用のウェビングを含み、耐久性を増加させてもよい。堤防セクション３００ｃの周りのベーパバリア１５および固定ストラップ（図示せず）は、内部の中の流体のレベル３５ｂに起因して、この静水力に抵抗する。重要なことには、流体レベル３５ｂの静水圧力に起因して、堤防セクション３００ｃの内部３４の中からのベーパバリアの部分１５ｂに対する力は、堤防セクションをシフトさせるように作用しない。内部３４の中の１または複数のチューブ１０の周りにベーパバリア１５を縫うように進ませることは（たとえば、図３Ｂ１に示されているように）、内部３４の流体レベル３５ｂからの静水力に抵抗することを支援し、したがって、内部３４の中の流体からの静水圧力に起因してベーパバリア１５がシフトする可能性を低減することが可能である。たとえば、ベーパバリア１５が堤防セクションの内部の中のチューブ１０のうちの１または複数の間を通されている実施形態では（たとえば、図３Ｂ１に示されているように）、堤防セクションの内部３４の中の流体のレベル３５ｂを増加させることにより、水の柱が内部の中のベーパバリアの１または複数の部分の上部（たとえば、チューブ１０ｆより下の部分）に形成され得、それは、流体の柱の重量に起因して下向きの圧力を提供する（たとえば、堤防セクションのフロント面にかかる下向きの力と同様）。内部の中を通されているベーパバリア１５にかかるこの下向きに圧力は、より低いレベルのチューブに対してベーパバリアを押し付け、それは、浸出が起こるときに、ベーパバリア、チューブ１０、および堤防セクション３００ｃ自身のシフトを軽減する。
【００５０】
内部３４の中の流体レベル３５ｂが上昇するとき、ベーパバリアの部分１５ｄは、外向きに作用する静水力に起因して、外へ膨らむことが可能である。追加的に、内部３４の中の流体の柱の重量は、膨らんだエリアおよびベーパバリアの部分１５ｂに下向きに作用する力を働かせる。堤防セクション３００ｃのリア面において、ベーパバリアの部分１５ｄ、１５ｂを地面１０１に対してシールするために、下向きの力および膨らみ作用を組み合わせることは、有益なことには、流体が堤防セクションを破壊することを防止することを支援する。図３Ｃ２は、実際に、上記原理を図示している。
【００５１】
図３Ｃ２は、図３Ｃ１に関連して説明された原理にしたがって構築された２−１ピラミッドの堤防セクション３００ｄを図示している。示されているように、堤防セクション３００ｄは、封じ込めエリアの中に流体３２を、および、堤防セクションの周りに巻き付けられているベーパバリア１５を含む。ベーパバリア１５は、部分１５ｂを含み、部分１５ｂは、堤防セクション３００ｄのフロントから、チューブ１０ｘの下に、次いで、チューブ１０ｙの下に、堤防セクション３００ｄのリアへ延在している。ベーパバリアの部分１５ｂは、ベーパバリアの部分１５ｄに続いており、ベーパバリアの部分１５ｄは、堤防セクション３００ｄのリアにおいて、チューブ１０ｙの周りに巻き付きけ、さらに、堤防セクションの上部において、チューブ１０ｚに巻き付き、ベーパバリアの部分１５ａに続いている。ベーパバリアの部分１５ａは、堤防セクション３００ｄの上部からフロント面を下向きに延在しており、また、地面１０１に沿って封じ込めエリアの中へ延在する延長部分（図示せず）を含むことが可能である。
【００５２】
杭１７ａは、ストラップ１３ａによって、アンカー３ａを地面１０１に固定しており、ストラップ１３ａは、アンカーに連結されており、またチューブの周りに巻き付き、リアにおいて堤防セクション３００ｄを地面に固定している。堤防セクションを地面に追加的に固定するために、ストラップ１３ａを、堤防セクション３００ｄのリアから、堤防セクションのフロントにおけるアンカーおよび／または杭（図示せず）へ、ベーパバリア１５およびチューブ１０の周りに巻き付けることが可能である。追加なアンカー、杭、およびストラップが、堤防セクションのフロントにおける対応するアンカーおよび杭（図示せず）とともに、堤防セクション３００ｄのリアの長さに沿って、所与の間隔で実装され得る。たとえば、アンカー３ｂ、杭１７ｂ、およびストラップ１３ｂは、アンカー３ａから１０フィート（３．０４８ｍ）以上の間隔で堤防セクション３００ｄを固定することが可能である。アンカー３ｃ、杭１７ｃ、およびストラップ１３ｃは、たとえば、１０フィート（３．０４８ｍ）など、同じ間隔で堤防セクション３００ｄを固定することが可能である。したがって、本例では、３０フィート以上（９．１４４ｍ以上）の長さの堤防セクション３００ｄを固定し、封じ込めエリアの中に流体３２を封じ込める。アンカー、杭、およびストラップが位置決めされている間隔は、堤防セクション３００ｄの高さ、地面の組成、および、封じ込められている流体が堤防セクションに作用する波を作り出すことができるかどうかに基づいて、変化することが可能である。
【００５３】
示されているように、封じ込めエリアからの流体３２は、レベル３５ｂまで、堤防セクション３００ｄの内部３４の中へ浸出され、レベル３５ｂは、封じ込めエリアの中の流体のレベル３５ａと実質的に同様であることが可能である。したがって、堤防セクション３００ｄのリアにおけるベーパバリアの部分１５ｄは、堤防セクション３００ｄの内部３４の中から外向きに作用する、内部３４の中の流体のレベル３５ｂの静水圧力の力に起因して外へ膨らむ３７。内部３４の中の流体の柱に起因する下向きの力が、ベーパバリアの部分１５ｄの中の膨らみ３７の底部を地面１０１に対して押し付け、それは、堤防セクションの内部３４および封じ込めエリアの両方から、堤防セクション３００ｄのリアを通る、および、堤防セクション３００ｄのリアの下の、流体の浸出を軽減することを支援する。
【００５４】
図４Ａ、図４Ｂ、および図４Ｃは、例示的な実施形態による、可撓性の封じ込めチューブ１０の一体式のベーパバリア４００を示す図である。図４Ａに示されているように、チューブ１０は、その可撓性の本体部の端部４１に近接して配設されている一体式のベーパバリア４００を含む。以前に説明されているようなストラップ、アンカー、および／または追加的なベーパバリアは、一体式のベーパバリアとともに働き、当接しているチューブを共に保持し、任意の長さの当接されたチューブから堤防セクションを形成することが可能である。
【００５５】
一体式のベーパバリア４００は、チューブ１０の本体部に取り付けられ得る。たとえば、一体式のベーパバリア４００の端部４２は、熱成形または他の貼り付け手段を介して、チューブ１０の本体部に取り付けられ得る。いくつかの実施形態では、一体式のベーパバリア４００は、チューブ１０の端部４１の上に所定の距離にわたって延在するスリーブである。１つの実施形態では、一体式のベーパバリア４００がチューブ１０の端部４１の上に延在する距離は、一体式のベーパバリアの端部４２がチューブ１０の本体部に係合するのに十分になっている。そして、チューブ１０が充填されるとき、チューブの本体部は膨張し、また、膨張するチューブの本体部を端部４２において圧縮することを介して、一体式のベーパバリア４００の端部４２に貼り付けられる。そのような場合、一体式のベーパバリア４００の端部４２は、圧縮を介して取り付けるために、充填されたチューブ１０の本体部の直径よりも小さい直径になっていることが可能である。いずれの場合でも、一体式のベーパバリア４００の一方の端部４２がチューブ１０に取り付けられている状態で、反対側端部４３は、追加的なチューブを受け入れるために、開口部４７を含み、チューブ１０の端部４１を越えて所定の距離にわたって延在している。
【００５６】
１つの実施形態では、反対側端部４３がチューブ１０の端部４１を越えて延在する距離は、追加的なチューブの本体部に係合するのに十分になっており、追加的なチューブは、充填されるとき、圧縮を介して反対側端部４３との取り付けを形成する。したがって、たとえば、ベーパバリア４００の反対側端部４３は、スリーブ構成の中の端部４２と同様に構成され得る。例として、スリーブは、チューブ１０の本体部の１〜３フィート（３０．４８〜９１．４４ｃｍ）に広がっており、また、開口部４７の中に挿入される別のチューブの本体部に係合するために、開口部４７から１〜３フィート（３０．４８〜９１．４４ｃｍ）の残りの長さを含むことが可能である。したがって、一体式のベーパバリア４００は、おおよそ２〜６フィート（６０．９６〜１８２．９ｃｍ）の全長を有することが可能である。
【００５７】
１つの実施形態では、一体式のベーパバリア４００は、その表面を通る流体の浸入を防止するために、ポリビスクイーン、ゴムなど防水材料から構築されており、または、チューブ１０もしくはベーパバリア１５を構築するために使用されているものと同様の他の材料から構築されている。したがって、たとえば、追加的なチューブが、図４Ｂに図示されているように開口部４７の中へ挿入されるときに、当接しているチューブ端部４１ａ、４１ｂの間の流体浸入が軽減され得る。図１に示されているものなど、地面に対するチューブのシフトを防止するストラップ、ループ、および／またはアンカーを含むことは、一体式のベーパバリア４００の中でのチューブの係合を維持することを支援し、シームレスな堤防が、複数の堤防セクションから任意の長さで構築され得るようになっている。加的に、図２〜図３を参照して説明されているものなどベーパバリアが、ピラミッド堤防セクション、および、特に、当接しているチューブが一体式のベーパバリア４００を介して取り付けられている２つの堤防セクションの接合部に巻き付けられるために利用され、堤防を通る流体浸出をさらに軽減することが可能である。
【００５８】
図４Ｂに示されているように、チューブ１０ａは、その可撓性の本体部の端部４１ａに近接して配設されている一体式のベーパバリア４００を含む。一体式のベーパバリア４００は、熱成型または他の貼り付け手段を介して、一方の端部４２において、チューブ１０ａの本体部に取り付けられ得る。いくつかの実施形態では、一体式のベーパバリア４００は、スリーブであり、スリーブは、チューブ１０ａの端部４１ａの上に所定の距離にわたって延在しており、チューブ１０ａが充填されているときに、圧縮を介して端部４２における取り付けを形成する。
【００５９】
また、ベーパバリア４００の反対側端部４３の開口部４７の中へ挿入されているチューブ１０ｂの端部４１ｂが、図４Ｂに示されている。１つの実施形態では、チューブ１０ｂの端部４１ｂは、チューブ１０ｂの充填の前に、開口部４７の中へ挿入される。そして、チューブ１０ｂが充填されるときに、チューブ１０ｂの本体部は膨張し、圧縮を介して、ベーパバリア４００の端部４３との取り付けを形成する。したがって、一体式のベーパバリア４００が防水材料から構築されているとき、当接しているチューブ端部４１ａ、４１ｂの間の流体侵入が軽減され得る。
【００６０】
図４Ｃに示されているように、チューブ１０ａは、その可撓性の本体部の端部４１ａに近接して配設されている一体式のベーパバリア４００を含む。一体式のベーパバリア４００は、熱成型または他の貼り付け手段を介して、一方の端部４２において、チューブ１０ａの本体部に取り付けられ得る。いくつかの実施形態では、一体式のベーパバリア４００は、スリーブであり、スリーブは、チューブ１０ａの端部４１ａの上に所定の距離にわたって延在しており、チューブ１０ａが充填されているときに、圧縮を介して端部４２における取り付けを形成する。
【００６１】
また、一体式のベーパバリア４００の反対側端部４３の開口部４７の中へ挿入されているチューブ１０ｂの端部４１ｂが、図４Ｃに示されている。１つの実施形態では、チューブ１０ｂの端部４１ｂは、一体式のベーパバリア４００の中のチューブ１０ａの端部４１ａとインターロック接続されている。たとえば、チューブ１０の端部４１は、共に巻かれ得、また、一体式のベーパバリア４００は、インターロック接続されたチューブ１０端部の上に延在され、チューブ１０の充填の前に、チューブ１０ｂを開口部４７の中へ挿入することが可能である。
【００６２】
そして、チューブ１０が充填されるとき、チューブ１０の本体部は、一体式のベーパバリア４００の中で膨張し、圧縮を介して、一体式のベーパバリアの端部４３における（および、スリーブ構成の中の端部４２における）取り付けを形成する。追加的に、インターロック接続されたチューブ端部４１は、チューブ１０が充填されるときに、ベーパバリア４００の中で互いに対して膨張し、それは、２つのチューブを共にしっかりと接合する。その理由は、それらが一体式のベーパバリアの壁部の中で圧縮されるからである。したがって、ベーパバリア４００が防水材料から構築されているとき、当接しているチューブ端部４１ａ、４１ｂの間の流体浸入は軽減され得、また、当接しているチューブ端部４１ａ、４１ｂのインターロック接続は、引き離されないようにチューブ１０ａ、１０ｂを固定する。
【００６３】
図５は、例示的な実施形態によるスリーブ端部５００を示す図である。図５に示されているように、１つの実施形態によれば、チューブ１０は、スリーブ端部５００の中へ挿入されている。スリーブ端部５００は、一方の端部５３において開口部５７を含み、チューブ１０を受け入れ、また、他方の端部５５において閉鎖されている。スリーブ端部５００の開口部５７は、チューブ１０の端部４１の上に所定の距離（たとえば、１〜３フィート（３０．４８〜９１．４４ｃｍ））にわたって延在し、チューブ１０が充填されているときに、圧縮を介して、端部５３において、チューブ１０の本体部との取り付けを形成する。チューブ１０の端部４１は、スリーブ端部５００の中への挿入の前に巻かれ、開口部５７から延在する可撓性の本体部の長さを減少させ、したがって、所望の通りに、所与のチューブ１０の長さをより短い長さに低減することが可能である。
【００６４】
巻かれたチューブ１０の端部４１は、チューブ１０の充填の前に、スリーブ端部５００の開口部５７の中へ挿入される。そして、チューブ１０が充填されているときに、チューブ１０の本体部は、スリーブ端部５００の中で膨張し、圧縮を介して、スリーブ端部５００の端部５３との取り付けを形成し、チューブがその全体長さまで膨張すること防止する。このようにして、より短い長さのチューブが、より長い長さのチューブから構成され得る。追加的に、チューブ１０は、スリーブの端部５５において、別のチューブに当接され得る。
【００６５】
１つの実施形態では、スリーブ端部５００は、その表面を通る流体の浸入を防止するために、ポリビスクイーン、ゴムなど防水材料であり、または、ベーパバリア１５のチューブ１０を構築するために使用されているものと同様の他の材料である。
【００６６】
図６Ａおよび図６Ｂは、例示的な実施形態による、可撓性の封じ込めチューブコネクタ６３を示す図である。図６Ａは、１つの実施形態による、線形のチューブコネクタ６３ａを図示している。１つの実施形態では、可撓性の封じ込めチューブは、その端部の１または複数において封止されていない。そのような実施形態では、コネクタは、可撓性の封じ込めチューブの端部を封止し、随意的に、複数の可撓性の封じ込めチューブを連結することが可能である。図６Ａに示されているように、チューブは、上側部６０ａおよび底側部６０ｂを含み、それらは、チューブの端部において封止されてはいない。その代わりに、コネクタ６３ａが、チューブの端部を固定し、その端部において、チューブの上側部６０ａと底側部６０ｂとの間の封止を形成し、流体６１が可撓性の本体部の中に封じ込められ得るようになっている。
【００６７】
１つの実施形態では、コネクタ６３ａは、第１のキャビティ６４ａを含み、チューブの端部の一部分を受け入れる。その部分は、チューブの端部を巻くことによって形成され得、チューブの上側部６０ａが、チューブの底側部６０ｂとともに巻かれるようになっている。次いで、チューブの巻かれた端部が、第１のキャビティ６４ａの中へ挿入され得る。ネクタ６３の長さ、および、したがって、第１のキャビティ６４ａの長さは、チューブの直径と同様の距離（たとえば、最大で、充填されていないときのチューブの上側部６０ａおよび底側部６０ｂの幅）にわたって延在することが可能であり、チューブの巻かれた端部が、第１のキャビティ６４ａの中で完全にまたはほとんど閉鎖され得るようになっている。
【００６８】
第２のキャビティ６４ｂは、説明を簡単にするために示されており、第１のキャビティ６４ａと同様の特徴を含む。また、第２のキャビティ６４ｂは、上記に説明されているような第１のキャビティ６４ａのものと同様の方式で、チューブの巻かれた端部を受け入れることが可能である。キャビティ６４ａ、６４ｂは、コネクタ６３の内側壁部６５によって分離され得る。単一のキャビティ（たとえば、第１のキャビティ６４ａ）だけが必要とされる実施形態では、コネクタ６５の内側壁部６５は、第１のキャビティ６４ａを維持するために残ることが可能である。示されているように、キャビティ６４は、具体的には、参考として第２のキャビティ６４ｂを参照すると、上側リテイニングリップ６７ａおよび下側リテイニングリップ６７ｂを含む。他の実施形態は、キャビティ６４当たりに単一のリテイニングリップ６７だけを含むことが可能である。リテイニングリップ６７は、チューブの巻かれた端部をキャビティ６４の中に固定し、コネクタ６３から離れる方向に引っ張られるときに、巻かれた端部の除去を防止する。さらに、チューブが充填されているときに、チューブの側部６０が、リテイニングリップ６７に対抗して膨張し、また、巻かれた部分が、キャビティ６４の中で、リテイニングリップ６７およびキャビティの中の壁部（たとえば、６５）に対抗して膨張し、チューブの巻かれた端部が除去されることを防止し、したがって、また、キャビティ６４の中でチューブの端部を封止し、チューブの中の流体６１の放出を防止する。
【００６９】
図６Ｂは、１つの実施形態による、積み重ねられたチューブコネクタ６３ｂを図示している。積み重ねられたチューブコネクタ６３ｂを介して接続されているチューブ端部同士の間のスペースが低減されているという点において、積み重ねられたチューブコネクタ６３ｂは、図６Ａの線形のチューブコネクタ６３ａとは異なっている。したがって、たとえば、チューブコネクタ６３ｂは、ベーパバリアの使用、および／または、接続されているチューブ端部同士の間に使用されるベーパバリア材料の量を軽減することが可能である。
【００７０】
図７Ａから図７Ｅは、例示的な実施形態による、可撓性の封じ込めチューブ当接部を示す図である。１つの実施形態では、可撓性の封じ込めチューブ端部は、当接しているチューブ端部同士の間の流体の浸出を軽減するために、さまざまな形状で形成されている。当接部は、固体または可撓性であり、たとえば、ＰＣＶ、成形プラスチック、金属など材料から構築され得る。
【００７１】
図７Ａ１に示されているように、チューブ７０ａは、斜めになったチューブ端部７１ａを備えて構築されている。斜めになったチューブ端部７１ａは、実質的に４５度の角度になっていることが可能であり、２つの斜めになったチューブ端部７１ａを共に当接させることによって、直角角部または真っ直ぐなセクションのいずれかが、チューブ７０ａの構成を有する２つのチューブの間に形成され得るようになっている。チューブは、所望の通りに、他の角度を備えて構成され得る。
【００７２】
図７Ｂ１に示されているように、チューブ７０ｂは、平坦なチューブ端部７３ａを備えて構築されている。平坦なチューブ端部７３ａは、それらの面において当接され、２つのチューブから真っ直ぐなセクションを形成することが可能である。あるいは、平坦なチューブ端部７３ａは、直角を形成するように、別のチューブの本体部に当接され得、または、所定の角度で延在するように、図７Ａ１に示されている４５度の斜めの端部７１ａなど斜めになった面に対して当接され得る。
【００７３】
図７Ｂ２に示されているように、チューブ当接部７２ｂは、丸い端部（または、他の形状の端部）を備えた可撓性の封じ込めチューブ１０を挿入するためのキャビティを含む。このように、チューブ１０自身は、特定の形状の端部を備えて構築される必要はない。充填されるときに、チューブ１０は、チューブ当接部７２ｂのキャビティの壁部に対抗して膨張することが可能である。１つの実施形態では、キャビティは、チューブ１０の丸い端部に一致するように形状決め７４されている。チューブ当接部７２ｂの他の実施形態は、それぞれ図７Ａ１および図７Ｂ１の７１ａおよび７３ｂなど、他のチューブ端部タイプに一致するように形状決め７４されたキャビティを含むことが可能である。
【００７４】
チューブ当接部７２ｂの端部７３ｂは、別のチューブまたはチューブ当接部に当接するように、さまざまな方式で構成され得る。たとえば、図７Ｂ２は、平坦な端部７３ｂを備えたチューブ当接部７２ｂを図示しており、平坦な端部７３ｂは、平坦なチューブ端部７３ａを備えて構築された図７Ｂ１のチューブ７０ｂのものと同様の構成で当接することを可能にする。
【００７５】
別の例として図７Ａ２を参照すると、チューブ当接部７２ａは、斜めになった端部７１ｂを含む。斜めになった端部７１ｂは、斜めになったチューブ端部７１ａを備えて構築された図７Ａ１のチューブ７０ａのものと同様の構成で当接することを可能にする。追加的に、チューブ当接部７２ａは、丸い端部（または、他の形状の端部）を備えた可撓性の封じ込めチューブ１０を挿入するためのキャビティを含むことが可能である。したがって、充填されるときに、チューブ１０は、チューブ当接部７２ａのキャビティの壁部に対抗して膨張することが可能である。１つの実施形態では、キャビティは、チューブ１０の丸い端部に一致するように形状決め７４されている。チューブ当接部７２ａの他の実施形態は、それぞれ図７Ａ１および図７Ｂ１の７１ａおよび７３ｂなど、他のチューブ端部タイプに一致するように形状決め７４されたキャビティを含むことが可能である。
【００７６】
図７Ｃは、チューブ１０ａおよびチューブ１０ｂを受け入れるための２つのチューブの当接部７２ｃを図示している。したがって、２つのチューブの当接部７２ｃは、それぞれのチューブ端部に一致するように形状決め７４されたキャビティを含むことが可能である。いくつかの実施形態では、２つのチューブの当接部７２ｃは、たとえば、２つの開口部の間に角度を有するなど、他の構成で構築されている。そして、対応する角度が、チューブが挿入されるときに、チューブ１０ａとチューブ１０ｂとの間に形成される。このように、チューブ１０は、２つのチューブの当接部７２ｃによって当接され、方向転換堤防セクションを所望の形状に接合することが可能である。
【００７７】
図７Ｄは、第１のチューブ当接部７２ｄ１を図示しており、第１のチューブ当接部７２ｄ１は、第１のチューブ１０ａを受け入れるように構成されており、また、第２のチューブ当接部７２ｄ２を受け入れるように形状決めされた面を含む。同様に、第２のチューブ当接部７２ｄ２は、第２のチューブ１０ｂを受け入れるように構成されており、また、第１のチューブ当接部７２ｄ１を受け入れるように形状決めされた面を含む。示されているように対合されたときに、チューブ当接部７２ｄ１および７２ｄ２の対応する面の構成は、１または複数の方向へのチューブ１０に対抗する力が抵抗され、流体を封じ込めるかまたは方向転換させるときにチューブのシフトを防止するようになっていることが可能である。
【００７８】
図７Ｅは、１つの実施形態による、チューブ当接部７２のキャビティ７４を図示している。チューブ当接部７２の端部７７は、たとえば、図７Ａ２の当接端部７１ｂと同様に構成され、図７Ｂ２の当接端部７３ｂと同様に構成され、または、別の構成で構成され得る。示されているように、チューブ端部が完全にキャビティの端部形状７４の部分に挿入されるときに、チューブ端部の上に、および、チューブの可撓性の本体部の上に延在する、チューブ当接部７２の部分は、その端部において、幅の狭くなったセクション７５を含むことが可能である。幅の狭くなったセクション７５は、チューブの本体部が、充填されるときに受け入れキャビティの中で膨張するときに、チューブの本体部を把持することを支援し、チューブ当接部７２からのチューブの除去を防止する。
【００７９】
図８Ａから図８Ｃは、例示的な実施形態による、可撓性の封じ込めチューブ１０の弁システムを示す図である。１つの実施形態では、本明細書で説明されているチューブ１０は、気密な逆止弁８５を利用しており、逆止弁８５は、チューブがその最大容量まで加圧および充填されることを可能にする。また、逆止弁８５は、起伏のある地形を伴う状況において流体に坂を上らせるために、傾き面のベースからチューブを充填することを可能にする。
【００８０】
図８Ａは、１つの実施形態による、弁システムを備えた可撓性の封じ込めチューブ１０を充填するための例示的なチューブ構成を示す図である。示されているように、チューブ１０は、単一のチューブ１０の中に複数のチャンバ８１を形成する内側膜８０を含む。図８Ａでは、下側チャンバ８１ａおよび上側チャンバ８１ｂを形成する単一の内側膜８０が示されている。内側膜８０は、チューブ本体部１０のものと同様の材料から形成され得、そうであるので、それぞれのチャンバ８１の中の流体を分離するように防水になっていることが可能である。弁８５は、膜８０の中に配設されており、一方のチャンバから次のチャンバへの流体のフローを容易にすることが可能であるが、その逆は同様ではない。たとえば、弁８５ｂは、下側チャンバ８１ａから上側チャンバ８１ｂへの流体８７ｃのフローを容易にすることが可能であるが、上側チャンバから下側チャンバへの流体８７ｃのフローを容易にすることは可能でない。
【００８１】
下側チャンバ８１ａに対応するチューブ１０の本体部の中に配設されている弁８５ａは、ホース８３またはポンプとの接続部から流体８７ａを受け入れることが可能であり、そして、流体８７ａは、下側チャンバの中へ流れ込む。弁８５ａは、ホース８３との接続が停止されたときに、下側チャンバ８１ａからの流体の放出を防止することが可能である。
【００８２】
弁８５ａを介して受け入れる流体８７ａは、下側チャンバ８１ａの中へ流れ込み、下側チャンバ８１ａを充填する８７ｂ。下側チャンバの流体充填８７ｂ容量に最終的に到達すると、弁８５ｂは、下側チャンバから上側チャンバ８１ｂの中への流体８７ｃのフローを可能にする。したがって、下側チャンバ８１ａの中へ追加的な流体８７ａを受け入れることにより、上側チャンバ８１ｂを流体で充填８７ｄさせる。また、弁８５ａおよび８５ｂは、同様の構築のものであり、チューブ１０の構築に必要とされる構成要素の数を低減することが可能である。上側チャンバ８１ｂに対応するチューブ１０の本体部の中に配設されている弁８５ｃは、上側チャンバ８１からチューブ１０の外側へのガス／流体の放出を可能にしてもよい。いくつかの実施形態では、弁８５ｃは、圧力放出部を含み、圧力放出部は、最大充填圧力条件が経験されたときに、上側チャンバ８１ｂから流体を放出するように活性化する。また、弁８５ｃは、チューブ１０から流体を空にするために係合される放出メカニズムを含むことが可能である。
【００８３】
図８Ｂは、下側チャンバ８１ａに対応するチューブ１０本体部の穿刺８８または他の故障の場合の、図８Ａの弁およびチューブ構成の例示的な利益を図示している。示されているように、充填されているチューブ１０の下側チャンバ８１ａが穿刺され、流体８９が、穿刺を介して下側チャンバ８１ａから逃げる。示されているように、充填されているチューブ１０の下側チャンバ８１ａが穿刺され、流体８９が、穿刺を介して下側チャンバ８１ａから逃げる。しかし、上側チャンバ８１ｂの中の流体は、膜８０を通しても、弁８５ｂを通しても、下側チャンバ８１ａの中へ通過することができないので、それは、穿刺８８を通して逃げない。また、弁８５ａおよび８５ｃは、上側チャンバ８１ｂから流体を放出しない。したがって、上側チャンバ８１ｂの中の流体レベルは、チューブ１０の完全な故障を防止するために維持される。
【００８４】
上側チャンバ８１ｂが穿刺される場合のシナリオでは、チューブ１０の例示的な構成において、両方のチャンバからの流体が逃げることが可能である。しかし、下側チャンバ８１ａが穿刺を経験する可能性が高いので、そのようなシナリオは起こりにくい。
【００８５】
図８Ｃは、図８Ａの弁構成によって、チューブを空にする例を図示している。示されているように、ホースに取り付けられているコネクタ９１は、弁８５ｃの放出メカニズムに係合し（たとえば、圧力放出部を開け）、上側チャンバ８１ｂから流体９２ａを放出する。流体が上側チャンバ８１ｂから放出されるときに、弁８５ｂは、流体９２ｂが下側チャンバ８１ａから膜８０を通過して上側チャンバへ通ることを可能にし、下側チャンバ８１ａの中の流体９２ｃも空にされるようになっている。いくつかの実施形態では、弁８５ｃは、弁８５ａ、８５ｂと同様の構成のものであり、製造コストを低減する。そのような場合、挿入力がチェック弁を開ける際、弁８５ｃは、圧力放出部およびコネクタ９１を含まない逆止弁であってもよい。
【００８６】
図１１Ａは、例示的な実施形態による可撓性封じ込めチューブの例示的な支持構造体を示す図である。示されるように、支持構造体１０００Ａは、例示の目的で地表面１０１上に配置される。支持構造体１０００Ａは、構造に形状および剛性を与える多数の支持体１００１を含む。支持体は、ＰＶＣなどのプラスチック複合材、鋼またはアルミニウムなどの金属、木製品、または様々な複合材を含む、多くの適切な材料から構築されてもよい。
【００８７】
例示的な支持構造体１０００Ａは、正方形の断面を有し、所与の長さに構築され得る。本明細書で説明する様々な実施形態では、支持体１００１は、支持構造体１０００Ａの長さおよび／またはその高さおよび／または幅を調整して、その断面周囲および／または断面形状を調整することができる。示されるように、正方形の断面を有する例示的な支持構造体１０００Ａは、正方形の左端面１０１０Ａおよび正方形の右端面１０１０Ｂを有する。他の例示的な支持構造体は、長方形、三角形、または他の形状の断面を有することができ、したがって、断面に対応する形状の端面１０１０Ａ、１０１０Ｂを有することができる。例示的な支持構造体１０００Ａはまた、前面１０１０Ｃ、接地面１０１に沿った底面１０１０Ｄ、後面１０１０Ｅ、および上面１０１０Ｆを含む４つの非端面を有する。他の例示的な支持構造体は、これらよりも非端面の数が少ないまたは多くてもよく、たとえば、三角形の断面を持つ支持構造体は、前面、底面、および背面を含む３つの非端面を有してもよく、半円の断面を有する支持構造体は、底面と曲面を含む2つの非端面があり、断面が正方形よりも多くの頂点を持つ支持構造体は、4つを超える任意の数の追加の非端面を有してもよい。
【００８８】
前述のように、支持構造体1000Aなどの37を利用して、構造支持封じ込め堤防のセクションを構築することができる。例えば、支持構造体１０００Ａは、可撓性封じ込めチューブ内に挿入され、次いで、それは充填され、構造体で支持された堤防の部分を構築する。構造で支持された堤防の複数のセクションを互いに隣接させ、かつ／または積み重ねて、任意の長さおよび／または高さの構造で支持された堤防セクションを作成することができる。支持構造体１０００Ａの長さ、したがって、構造体で支持された堤防セクションの長さは、可撓性封じ込めチューブの長さから最小折り畳み長さを引いたものまでの任意の長さであり得る。最小折りたたみ長さは、チューブを充填できるようにチューブを封止するために必要な、残っている可撓性封じ込めチューブの材料の量を定義する。例えば、可撓性封じ込めチューブが２０フィート（６０９．６ｃｍ）の長さであり、１つの開口端が封止される場合、支持構造体は、最小折りたたみ長さの例である３フィート（９１．４４ｃｍ）で封止できる長さの１〜１７フィート（３０．４８〜５１８．１６ｃｍ）であってもよい。可撓性封じ込めチューブが２０フィート（６０９．６ｃｍ）の長さで両端が開いている場合、支持構造体は、最小の折りたたみ長さの例として６フィート（１８２．８８ｃｍ）（両端で３フィート（９１．４４ｃｍ）を使用）で封止できる長さの１〜１４フィート（３０．４８〜４２６．７２ｃｍ）であってもよい。
【００８９】
例示的な可撓性封じ込めチューブは、約１００フィート（３０．４８ｍ）の長さに及ぶ場合があるため、所定の用途に対応するために、所望により、可撓性封じ込めチューブをより短い長さに切断してもよい。たとえば、構造物で支持された堤防セクションが配置される最初の入口が３フィート（９１．４４ｃｍ）幅、２番目が６フィート（１８２．８８ｃｍ）幅、３番目が２０フィート（６０９．６ｃｍ）幅の場合、３つすべてに対応するように、１００フィート（３０．４８ｍ）の長さのチューブをカットしてもよい。長さ１００フィート（３０．４８ｍ）のチューブの両端が封止されている場合、封止された端部を有する２つのチューブと、両端が開いた多数のチューブを作成することができる。上記の例で、３フィート（９１．４４ｃｍ）の最小折りたたみ長さを考慮すると、６フィート（１８２．８８ｃｍ）（一方の端が閉じている）と１２フィート（３６５．７６ｃｍ）（両方の端が開いている）の例のチューブは、１００フィート（３０．４８ｍ）のチューブの一端から切り取られ、８２フィート（２４．９９ｍ）のチューブの長さが残る。チューブの６フィート（１８２．８８ｃｍ）セクション（１つの開いた端に対して３フィート（９１．４４ｃｍ）+ ３フィート（９１．４４ｃｍ）の最小折りたたみ長さ）は最初の入口に使用でき、チューブの１２フィート（３６５．７６ｃｍ）のセクション（２つの開いた端に対して、６フィート（１８２．８８ｃｍ）＋６フィート（１８２．８８ｃｍ）の最小折りたたみ長さ）が２番目の通路に使用でき、およびチューブの８２フィート（２４．９９ｍ）セクションは、３番目の通路に使用できる。次に、３つの対応する支持構造体１０００Ａを構築し、使用して、各通路について構造体で支持された堤防セクションを作成することができる。たとえば、第１の入口内に適合する約３フィート（９１．４４ｃｍ）の長さの第１の支持構造体を６フィート（１８２．８８ｃｍ）の長さの管と組み合わせて使用して、第１の入口を第１の構造で支持された堤防セクションで封止することができる。同様に、長さが約６フィート（１８２．８８ｃｍ）の第２の支持構造体を第２の入口用に作成し、対応するチューブと共に使用して、第２の構造を支持する堤防セクションで第２の入口を封止することができる。同様に、第３の入口構造のために第３の支持構造体を作成し、対応するチューブと共に使用して、第３の構造を支持する堤防セクションで第３の入口構造を封止することができる。いくつかの実施形態では、所与の長さの支持構造体は、より短い長さの複数の支持構造体を含み得る。たとえば、長さが約２０フィート（６０９．６ｃｍ）の第３の支持構造体は、４つの５フィート（１５２４ｃｍ）の長さの支持構造体から構成されてもよい。所定の支持構造体は、充填されたチューブが横方向に数インチまで拡張され、入口の端やそれによりかかる他の構造の端に封止を形成するため、入口の幅にぴったりと合わせる必要はない。構造で支持された堤防セクションのチューブの長さに沿った横方向の拡張は、入口のフレーミングまたはエッジに対する封止作用を可能にし、支持構造体の構築された長さの精度の低下をもたらす。たとえば、所与の入口を封止するための支持���造体は、位置決めの容易さを可能にするために、入口の幅よりも１〜６インチ（２．５４〜１５．２４ｃｍ）短く構築され得る。
【００９０】
例示的な可撓性封じ込めチューブの直径は１フィート（３０．４８ｃｍ）から３フィート（９１．４４ｃｍ）を超え、したがって、約３フィート（９１．４４ｃｍ）（３７．７インチ（９５．７５８ｃｍ））から９フィート（２７４．３２ｃｍ）（１１３インチ（２８７．０２  ｃｍ））の範囲の円周（円周率*直径）を有し、この例の支持構造体１０００Ａは、その断面の周囲が、使用されているチューブの周囲に対応するように構築され得る。1フィート（３０．４８ｃｍ）（１２インチ  （３０．４８ｃｍ））の直径のチューブは、周囲が３７．７インチ  （９５．７５８ｃｍ）（π * １２インチ  （３０．４８ｃｍ））である。支持構造体１０００Ａはチューブに挿入されるので、挿入を容易にするために、チューブの周囲よりわずかに短い断面周囲長を有することがしばしば好ましい。したがって、たとえば、チューブの円周の推定値を使用して、チューブの円周よりも小さいが、チューブの円周を閉じる断面周囲を計算することができる。断面周長の計算例の１つが、実際の周長よりわずかに小さい断面周長を取得するために、周長の計算でπを単に「３」に置き換えてもよい（たとえば、πが３．１４…であるため）。したがって、支持構造体１０００Ａが直径１フィート（３０．４８ｃｍ）のチューブに使用するための例示的な断面周囲は、３フィート（９１．４４ｃｍ）／ ３６インチ（９１．４４ｃｍ）（３ ＊ １２インチ  （３０．４８ｃｍ）＝ ３６インチ（９１．４４ｃｍ））であってもよく、直径２フィート（６０．９６ｃｍ）のチューブに使用するための例示的な断面周囲は、６フィート（１８２．８８ｃｍ）/７２インチ（１８２．８８  ｃｍ）（（３ * ２４インチ（６０．９６ｃｍ）= ７２インチ（１８２．８８  ｃｍ））であってもよく、直径３フィート（９１．４４ｃｍ）のチューブに使用するための例示的な断面周囲は、９フィート（２７４．３２ｃｍ）/１０８インチ（２７４．３２ｃｍ）（３ * ３６インチ（９１．４４ｃｍ）= １０８インチ（２７４．３２ｃｍ））であり、任意の直径のチューブの場合も同様である。
【００９１】
例示的な支持構造体１０００Ａの場合、断面の周囲は、その形状の側面の合計である。したがって、直径が１フィート（３０．４８ｃｍ）で周囲が３７．７インチ（９５．７５８ｃｍ）のチューブの場合、正方形の断面を持つ支持構造体１０００Ａは４つの９インチ  （２２．８６ｃｍ）の辺を持ち、周囲長は３６インチ（９１．４４ｃｍ）で、1フィート（３０．４８ｃｍ）の直径のチューブへの挿入を容易にする。長方形や三角形など、他の形状の断面の場合、同様の長さを計算して、辺の長さを合計することにより、断面の周囲が約３６インチ（９１．４４ｃｍ）になるようにしてもよい。たとえば、４辺を有し、周囲の長さが３６インチ（９１．４４ｃｍ）（６+ ６+ １２+ １２）の６インチ（１５．２４ｃｍ）x１２インチ（３０．４８ｃｍ）の長方形、または３辺を有し、周囲の長さが３６インチ（９+１２+１５）の９インチ（２２．８６ｃｍ）-１２インチ（３０．４８ｃｍ）-１５インチ（３８．１ｃｍ）の三角形も、直径１フィート（３０．４８ｃｍ）のチューブの支持構造体として使用できる。
【００９２】
断面外周は、より大きい直径を有するチューブおよびより小さい直径を有するチューブに同様に適用できる。たとえば、直径が２フィート（６０．９６ｃｍ）で周囲長が７５．４インチ（１９１．５１６ｃｍ）のチューブの場合、支持構造体の断面周長は、７２インチ（１８２．８８  ｃｍ）に等しい３ *２４インチ（６０．９６ｃｍ）で計算できる。同様に、直径２フィート（６０．９６ｃｍ）のチューブの支持構造体は、４つの１８インチ（４５．７２ｃｍ）の辺を有する正方形の断面、２つの１２インチ（３０．４８ｃｍ）の辺と２つの２４インチ（６０．９６ｃｍ）の辺を有する長方形の断面、１８インチ（４５．７２ｃｍ）、２４インチ（６０．９６ｃｍ）、３０インチ（７６．２ｃｍ）の辺を有する三角形の断面、および各周囲を構成する辺の合計が７２インチ（１８２．８８  ｃｍ）となるものなど、を有することができる。  
支持構造体の実際の断面の周長は、実際には計算された断面の直径と正確に一致している必要はない。具体的には、計算された断面の周長は、所定の直径のチューブへの挿入を容易にする支持構造体を構築するための基準点を提供し、実際には、実際の断面の周長は、チューブの周長を計算された断面の周長より下まで変化してもよい。
【００９３】
図１１Ｂは、例示的な実施形態による可撓性封じ込めチューブの例示的な支持構造体を示す図である。示されるように、支持構造体１０００Ｂは、例示の目的で地表面１０１上に配置される。支持構造体１０００Ｂは、構造に形状および剛性を与える多数の支持体１００１を含む。支持体は、ＰＶＣなどのプラスチック複合材、鋼およびアルミニウムなどの金属、木製品、または様々な複合材を含む、多くの適切な材料から構築されてもよい。また、１つまたは複数の支持体１００１を一緒に結合するためのいくつかの例示的な角部継手１００５および中央継手１００６も示されている。
【００９４】
示されるように、例示的な支持構造体１０００Ｂは、正方形の断面を有する。したがって、支持構造体１０００Ｂは、１つの端部のみが示されているが、８つの角部継手１００５（各端部に４つ）を利用することができる。支持構造体１０００Ｂの長さに沿って複数の支持体１００１が利用される場合、１つ以上の中心継手１００６（例えば、正方形断面の場合は４つ）を利用して、縦方向支持体を互いに結合し、さらに支持体間に追加の補強を提供することができる。接手１００５、１００６は、形状の断面に対応するいくつかの連結インターフェースを有することができ、たとえば、図示された接手１００５、１００６は、それぞれ３および４つの連結インターフェースを有し、９０度の角度で配置されて、正方形および長方形の断面を持つ支持構造体１０００Ｂの構築を可能にする。接手は、三角形などの異なる形状の断面に対して、異なる角度で連結インターフェースを有する場合がある。バリエーションは数多くあり、図１１Ｂは、単に、他の形状に拡張することができる１つの例示的な構成を示すのに役立つだけである。
【００９５】
接手１００５、１００６自体の実施形態は、支持体の材料に応じて変更してもよい。たとえば、接手の実施形態は、断面周囲に近い、対応する長さと円周を有するチューブ内に含まれる構造として、すべてが一様に適用可能な円形の支持体（例えば、PVCまたは金属パイプ、木製のダボなど）を受容するための、ねじ式インターフェース、圧縮インターフェース、およびルーズフィットインターフェースを有することができる。一実施形態では、継手は、対応する外径または内径および／またはねじピッチを有するＰＶＣまたは金属パイプ支持体を受け入れるように構成された内径または外径を有する円形ねじ、圧縮、および／またはルーズフィットインターフェースを有するＰＶＣまたは金属継手である。圧縮および／またはルーズフィットインターフェースは、対応する形状の支持体を受容するために、正方形または別の形状であってもよい。さらに、接手の実施形態は、２×４ウッドサポート、山形鋼、チャンネル鋼、ボックス鋼、またはＩビーム（鉄、鋼、アルミニウムまたはその他の金属であってもよい）のような支持体まで延伸されたインターフェース部分を有する平板であってもよく、ネジ、釘、ボルトで固定するか、その中に受容されうる。他の構成も可能であり、上記の説明は限定と見なされるべきではない。実際には、支持体１００１は、所望の長さに切断または調整され、必要に応じていくつかの接手１００５、１００６を介して互いに接合されて、所望の形状および長さの支持構造体１０００Ｂを作成する。
【００９６】
図１１Ｃは、例示的な実施形態による可撓性封じ込めチューブの例示的な支持構造体を示す図である。より具体的には、図１１Ｃは、例示的な支持構造体１０００Ｃの寸法を調整するための例示的な調整可能な支持体１００１構成の拡大図１１００を示す。
【００９７】
前述のように、支持構造体１０００Ｃは、入口通路の幅または所与の長さの可撓性封じ込めチューブの最大許容長さに対応するように、所与の長さに構築することができる。さらに、支持構造体１０００Ｃは、それが支持する可撓性封じ込めチューブの周囲に対応するように、所与の断面周囲を有するように構築されてもよい。いくつかの実施形態では、支持体の長さの範囲を可能にするために、調節可能な支持体１００１を有することが望ましい場合がある。調節の構成に応じて、調節可能な支持体１００１は、単一の入れ子式調節（ｔｅｌｅｓｃｏｐｉｎｇ  ａｄｊｕｓｔｍｅｎｔ）のために、最大長から最大長の約半分までの調節範囲を有することができる。したがって、たとえば、７２インチ（１８２．８８  ｃｍ）の支持体は約９インチ  （２２．８６ｃｍ）に、１２インチ（３０．４８ｃｍ）の支持体は約６インチ（１５．２４ｃｍ）に調整できる。このようにして、調整可能な支持体１００１は、支持構造体１０００Ｃの長さまたは支持構造体１０００Ｃの断面周囲長に変更をもたらすために、所望の長さに調整されてもよい。他の実施形態では、支持体１００１は、最小長さよりも約３または４倍長いなど、より広い範囲の調整を提供するために、複数の入れ子式セクション（例えば、入れ子式またはその他）を含み得る。
【００９８】
さらに、支持体の調整可能な性質は、所与の断面周囲を維持しながら、異なる断面形状の使用を可能にすることができる。たとえば、最大長さが１２インチ（３０．４８ｃｍ）の調整可能な支持体は、目的の用途に応じて、９−９−９−９の正方形断面または６×１２の長方形断面に使用できる。同様に、支持体構造１０００Ｃの長さに沿って、最大長１８インチ（４５．７２ｃｍ）の支持体を使用して、構造の長さを１８インチ（４５．７２ｃｍ）から９インチ  （２２．８６ｃｍ）に調整したり、中央接手と追加の１８インチの最大長支持体のセットと組み合わせて使用して、長さ１８インチ（４５．７２ｃｍ）から３６インチ（９１．４４ｃｍの範囲の構造を取得してもよい。任意の数の追加の支持体と中央接手を使用して、必要に応じて構造の長さを調整できる。
【００９９】
例示的な調整可能な支持体１００１は、外側支持部１００１Ａおよび内側支持部１００１Ｂを有する。内側支持部１００１Ｂは、外側支持部１００１Ａの内径よりも小さい外径１０１５を有し、内側支持部１００１Ｂの挿入１００５および内側支持部の入れ子式による、外側支持部１００１Ａのさらなる内側または外側への支持体長さ１００１の調整を可能にする。外側支持部１００１Ａは、内側支持部１００１Ｂを特定の長さに固定するための留め具１０２１の挿入を可能にするために、１つ以上の穴１０１９Ａ、１０１９Ｂを含み得る。一実施形態では、留め具１０２１は、ナット１０２３を介して固定できるようにねじが切られている。内側支持部１００１Ｂは、留め具を受容し、外側支持部１００１Ａ内の内側支持部１００１Ｂの位置を維持するために、いくつかの対応するチャネル１０１７Ａ〜ｎを含む。示されるように、留め具１０２１は、外側支持部の挿入貫通穴１０１９Ａ、１０１９Ｂおよび内側支持部のチャネル１０１７Ｍを介して、内側支持部１００１Ｂを外側支持部１００１Ａに固定している。チャネル１０１７Ａ〜ｎのいずれかを使用して、支持体１００１の長さを、チャネル１０１７Ａでの所与の最大長とチャネル１０１７ｎでの最小長との間で調整することができる。対応するチャネル１０１７の数「ｎ」は、支持体１００１の長さおよび許容される調整の精度に依存する。１つの例示的な実施形態では、チャネル１０１７−ｎは、おおよそである。５−２インチ（１２．７−５．０８ｃｍ）離す。代替の実施形態では、圧縮機構、止めねじ、または他の機構が、外側支持部１００１Ａを内側支持部１００１Ｂに固定し得る。内側支持部分１００１Ｂの非挿入端は、挿入部分（例えば、１００５、１００６）での嵌合の共通性を可能にするために、挿入された内側支持部分１０１５の直径よりも大きい直径１０１３を有し得る。
【０１００】
図１２Ａは、例示的な実施形態による、例示的な構造で支持された封じ込め堤防を示す図である。示されるように、支持構造体１０００は、構造的に支持された封じ込め堤防のセクションを構成するために、可撓性封じ込めチューブ６０と組み合わせて利用される。
【０１０１】
支持構造体１０００は、地表面１０１上に示されている。例示的な可撓性封じ込めチューブ６０は、支持構造体１０００の挿入を可能にする単一の開放端６９を有する。前述のように、チューブ６０は、約１〜３フィート（３０．４８〜９１．４４ｃｍ）の範囲の直径および１００フィート以上を超える可能性がある長さを有するなど、様々な寸法のものであってもよい。同様に、支持構造体１０００は、チューブ６０の直径および構造体が支持する堤防セクションの所望の長さに対応する様々な寸法であってもよい。
【０１０２】
チューブ６０への挿入前に、支持構造体１０００は、所与の入口の幅内に適合するなどの所望の長さを有するように調整および／または構築され得、チューブの周囲に対応する断面構造を有するように調整および／または構築され得る。たとえば、直径１フィート（３０．４８ｃｍ）のチューブ６０の場合、支持構造体１０００は、３７．７インチ  （９５．７５８ｃｍ）の周囲を有する直径１フィート（３０．４８ｃｍ）のチューブへの挿入を容易にするために、周囲が３６インチ（９１．４４ｃｍ）の断面を有するように調整および／または構築されてもよい。さらに、前述のように、支持構造体１０００の長さは、一旦チューブに挿入されると、チューブ６０の最小折りたたみ長さが残ることを可能にするように構成され得る。例えば、最小折り畳み長さが３フィート（９１．４４ｃｍ）であり、支持構造体が３フィート（９１．４４ｃｍ）の長さである場合、チューブ６０は、６フィート（１８２．８８ｃｍ）以上の長さであり得る。
【０１０３】
支持構造体１０００が上述のように用途に適切に構成されると、１２０１を可撓性封じ込めチューブ６０の開口端部６９に挿入され得る。
【０１０４】
図１２Ｂは、例示的な実施形態による、例示的な構造で支持された封じ込め堤防を示す図である。示されるように、支持構造体１０００は、構造的に支持された封じ込め堤防のセクションを構成するために、可撓性封じ込めチューブ６０と組み合わせて利用される。図１２Ｂは、それが開放端６９を通って完全に挿入された後の支持構造体１０００、可撓性封じ込めチューブ６０を示す。また、構造がチューブに完全に挿入された後（１２０２）、たとえば少なくとも最小折りたたみ長さだけ、支持構造体１０００を越えて延びるチューブ６０の開放端６９が示される。支持構造体１０００およびチューブ６０は、地表面１０１上の所望の位置に配置され得、チューブの開放端６９は、充填前に封止され得る。
【０１０５】
図１２Ｃは、例示的な実施形態による、例示的な構造で支持された封じ込め堤防を示す図である。示されるように、支持構造体１０００は、構造的に支持された封じ込め堤防のセクションを構成するために、可撓性封じ込めチューブ６０と組み合わせて利用される。図１２Ｃは、可撓性封じ込めチューブ６０に完全に挿入され、チューブ６０の開口端６９が封止のために上面を覆って折り畳まれたときの支持構造体１０００を示す。地面１０１に対して、支持構造体１０００を越えて少なくとも最小折りたたみ長さを延びる可撓性封じ込めチューブ６０の開口端６９の部分は、支持構造体の端部を越えて上面に折り曲げることができる（１２０３）。さらに、開口端６９は、例えば図１２Ｄに示すように上面に沿って前後に２〜４回折りたたまれ、チューブ６０を満たす流体が開口端６９から逃げるのを実質的に防ぐ封止を提供するように固定されてもよい。
【０１０６】
図１２Ｄは、例示的な実施形態による、例示的な構造で支持された封じ込め堤防を示す図である。示されるように、支持構造体１０００は、構造的に支持された封じ込め堤防のセクションを構成するために、可撓性封じ込めチューブ６０と組み合わせて利用される。図１２Ｄは、構造１０００およびチューブ６０を１２０５Ａに巻き付けたストラップ１３を示す。ストラップ１３は、チューブ６０の開口端６９の折り曲げ部分１２０４の周りに巻き付けられ、その結果、チューブの折り曲げ部分１２０４は、封止を提供するように固定され得る。たとえば、ストラップ１３は、ストラップの端部を挿入する（１２０５Ｂ）ことができる固定機構１２１２を含み、支持構造体１０００、チューブ６０、およびチューブ６０の折り畳まれた部分１２０４の周りにストラップ１３を固定することができる。例示的な固定機構１２１２は、ストラップ１３が緩むのを防止するのに適したラチェット（例えば、ラチェットストラップ）、バックル、カムバックルなどを含み得る。あるいは、ストラップ１３は、それ自体に（例えば、結び目を介して）または他の機構を介して固定されてもよい。構造支持された堤防セクションが所望の位置（例えば、接地面１０１上）に配置されると、チューブ６０は流体で満たされるので、チューブ６０の充填がチューブ本体をストラップに対して拡張し、チューブの本体とストラップの間でチューブの折り畳まれた部分１２０４をさらに封止することを生じさせるように、ストラップ１３は過度にきつくする必要はない。
【０１０７】
他の実施形態は、ストラップ以外の手段を利用して、開放端６９を固定し、チューブ６０を封止することができる。たとえば、図５を参照して詳細に説明されるようなスリーブ端部が使用されてもよい。例示的なスリーブ端部は、ポリビスクイーン、ゴムなどの耐水性材料、またはチューブ６０を構成してその表面からの流体の侵入を防止するために使用されるものと同様の他の材料であってもよい。例示的なスリーブ端部は、開放端および閉鎖端を含み得る。スリーブの開口部は、チューブ６０の折り畳まれた部分１２０４を固定して、チューブが充填された際に、圧縮によりチューブの本体との接続を形成するために、チューブ６０の端部を超えて距離（例えば１〜３フィート（３０．４８〜９１．４４ｃｍ））伸びてもよい。スリーブの開口部は、チューブの周囲または支持構造体の外周に最も近い外周を有し、および／またはスリーブの開口部がチューブ６０および構造の上に延在して、チューブの折り畳まれた端部１２０４を固定できるように伸びてもよい。さらに、いくつかの実施形態では、スリーブは、２つの堤防セクションの接続を可能にするために２つの開口端を有することができる。あるいは、スリーブは別のチューブまたは入口の縁に当接してもよい。
【０１０８】
他の例示的な実施形態は、チューブ当接部を利用することができる。例示的なチューブ当接部は、図７〜７Ｅを参照してより詳細に説明される。チューブ当接部は、可撓性封じ込めチューブ６０を挿入するためのキャビティを含み、キャビティは、支持構造体の断面の形状に対応する寸法を有する形状を有することができる。このようにして、構造物で支持された封じ込めチューブの端部をキャビティに挿入することができる。キャビティは、構造的に支持された封じ込めチューブの端部を超えて（例えば、１〜３フィート（３０．４８〜９１．４４ｃｍ）だけ）延びて、チューブ６０の折り畳まれた端部１２０４の固定を可能にし得る。スリーブ端部と同様に、チューブ６０が充填されると、チューブはキャビティ内で拡張し、折り畳まれた端部１２０４の周りに圧縮嵌合を形成してチューブ６０を封止する。チューブ６０の最小折りたたみ長さは、ストラップ対スリーブ端部対当接部の間で異なり得る。
【０１０９】
図１２Ｅは、例示的な実施形態による、例示的な構造で支持された封じ込め堤防を示す図である。示されるように、支持構造体１０００は、構造的に支持された封じ込め堤防のセクションを構成するために、可撓性封じ込めチューブ６０と組み合わせて利用される。図１２Ｅは、構造支持封じ込め堤防のセクションが接地面１０１上の所望の位置に配置され、チューブ６０の開口端６９が固定された後の構造支持封じ込め堤防のセクションの充填を示す。たとえば、堤防セクションは、入口の幅にまたがるように配置することができる。チューブ６０の実施形態は、チューブの充填を可能にするために、その可撓性本体に配置された弁８５を含み得る。たとえば、チューブ６０の本体に配置された弁８５は、ホース８３またはポンプとの接続部から流体８７を受容し、チューブの内部を満たす（６１）ことができる。いくつかの実施形態では、単一の長い可撓性封じ込めチューブ６０から管材の複数のセクションが作成され得るので、例示的な可撓性封じ込めチューブは、チューブの本体に配置されたいくつかの弁８５を含み得る。たとえば、弁８５は、３〜１２フィート（９１．４４〜３６５．７６ｃｍ）（または他の所望の間隔）ごとに可撓性封じ込めチューブ６０の本体の長さに沿って配置され得、その結果、より小さいチューブセクションはまた、それらの本体に配置される弁を含み得る。加えて、複数の弁８５をチューブ６０の周囲に配置することができ、それにより、流体で満たすために構造物で支持された封じ込めチューブの上部に近接する弁、および/または流体を排出するために構造物で支持された封じ込めチューブの接地面に近接する弁の位置を確保する。このように、６０の周囲に配置された複数の弁を有する構成は、構造支持の堤防の向きに関係なく、チューブの充填や排気を容易にして、建設中の考慮事項を減らし、使用後に構造支持の封じ込め堤防を分解する労力を減らすことができる。
【０１１０】
いくつかの実施形態では、複数の流体を利用して、チューブ６０を充填６１してもよい。たとえば、チューブ６０の容量の２／３までを水で満たし、残りの１／３の容量を空気でチューブを満たすことなどにより、水と空気の両方を流体として充填する ことができ、 それによりチューブの充填に使用される水６１の量を最小にする。弁８５は、チューブを充填するためのホース８３との接続８７が終了したときに、チューブ６０からの流体の放出を防止するように構成され得る。弁８５の構成はまた、チューブ６０から流体を空にするために係合され得る解放機構を含み得る。
【０１１１】
チューブ６０がその充填６１容量までで充填される（６７）と、チューブ６０内の充填流体８７の圧力により、それは１２５０Ａ、１２５０Ｂを長さ方向に、またその直径の周りに拡張する。水のような流体は、内部静水圧（つまり、ある点からの水柱の高さ）とその点での外圧に従ってチューブ６０を膨張させ、空気のような流体は、内圧と外圧に従ってチューブを膨張させる。チューブ６０の材料はまた、それが内力に抵抗するとき、チューブの拡張において一部役割を果たす。たとえば、可撓性ゴム封じ込めチューブは、強化ウェビングを利用するゴム封じ込めチューブよりも大きく拡張することができる。複数の流体を使用する場合、特定の点での内圧は、静水圧とガス圧の一方または両方から発生することがある。長手方向の拡張１２５０Ａ、１２５０Ｂは横方向に作用し、圧力は、構造体１０００が当接する入口または他の表面の縁に対する圧縮封止を可能にする。その直径の周りの管チューブ６０の拡張により、構造体１０００の前面、後面、底面、または上面に近接する接地面１０１または他の表面に対する封止が可能になる。
【０１１２】
図１３Ａは、例示的な実施形態による、例示的な構造によって指示される封じ込め堤防用途を示す図である。示されるように、構造体１０００で支持された可撓性封じ込めチューブ６０は、構造体で支持された堤防セクションを構成し、底縁および／または接地面に沿って例示的な入口１３０３内に配置される。前述のように、構造体１０００は、構造体で支持された堤防セクションが入口１３０３の幅内に収まるように、長さを構築および／または調整することができる。次に、構造体で支持された堤防セクションは、入口１３０３内に配置され、チューブ６０は満たされる（６１）。充填される（６１）と、チューブ６０は、１２５０Ａ、１２５０Ｂを横方向に拡張し、入口１３０３の対応する縁部を封止する。水（例えば、洪水）が堤防セクションの前面に沿って上昇すると、上昇する水によって生成された静水圧が、入口１３０３内へ方向付けられた、構造体１０００とチューブ６０に加えられた後方の力を及ぼす堤防セクションの前面に圧力を及ぼす。チューブ６１の横方向拡張１２５０Ａ、１２５０Ｂは、充填された（６１）とき、この力に抗して堤防セクションの位置を維持するように作用する。さらに、入口１３０３が、構造体で支持された堤防セクションの背面に沿ってドア１３０１または他のバリアを含む場合、堤防セクションの前面での水の静水圧により、堤防セクションの背面がドアに押し付けられる。そして、チューブ６０は、入口内の後面に沿ってドア１３０１に対してそれ自体をさらに封止する。堤防セクションと堤防セクションでのこれらの働きの組み合わせは、入口１３０３内の堤防セクションを固定し、入口１３０３から家またはガレージなどの閉鎖された領域への洪水の浸透を軽減する入口１３０２の密閉を提供するように機能する。これに対し、砂袋は、浸入を効果的に防止し、しかしドア１３０１の完全な破れを防止するために、浸食および／または破壊のような行いを緩和するバリアを提供しない。
【０１１３】
いくつかの実施形態では、複数の堤防セクションが利用されてもよい。たとえば、単一のセクションの高さを超える洪水を緩和するために、１つ以上の追加の堤防セクションが入口１３０３内に積み重ねられてもよい。さらに、前述のように、正方形の断面を有する構造体１０００を利用するのではなく、長方形の断面を有する構造体は、長方形の断面の長辺が入口１３０３の垂直エッジと垂直に整列するように配置することができ、正方形の構造を持つ堤防の高さを超える洪水を緩和するのに利用できる。このような構成は、堤防セクションの前面で洪水の高さが増加すると、堤防セクションがドアに対して後方に押し付けられ、入口１３０３を封止すること、および堤防セクションの位置を維持することの両方に作用するので、ドア１３０１を含む入口１３０１に特に適している。あるいは、三角形の断面を有する構造体１０００を利用して、垂直方向の高さを増加させ、安定したベースを提供することができる。このような構成は、ドアのない出入り口内に、または１つ以上の他の堤防セクションの前方に配置されて、分断を形成するのに望ましい場合がある。たとえば、１つ以上の堤防セクションは、入口１３０３内に配置された堤防セクションの前に配置および／または積み重ねられ得る。任意選択的に、入口１３０３の前に配置および/または積み重ねられたこれらの堤防セクションは、洪水が上昇したときに、それらが入口の縁を越えて伸びるように、それらの後部および入口１３０３の縁に対して、洪水の静水圧がこれらの障壁を両方とも堤防セクションに押し付けるように、入口１３０３の幅よりも長く延びる長さを有することができる。
【０１１４】
いくつかの実施形態では、ポリビスクイーンまたはその表面からの流体の浸入を防止する他の材料などのベーパバリアが、１つまたは複数の堤防セクションを配置する前に配置される。ベーパバリアは、横方向に延びて、入口１３０３の各側面を越えて延びることができる。入口１３０３内および／または入口の前のベーパバリアの後端部に、１つまたは複数の堤防セクションを配置、充填、および／または積み重ねてもよい。いくつかの実施形態では、ベーパバリアの後端部は、浸透ギャップを提供するように配置され、ベーパバリアを入口のドア１３０１および/または基準面に押し付ける堤防の内部の静水圧の作用により、追加の封止がなされる。任意選択的に、ベーパバリアの前端部分は、ベーパバリアをよりよく固定するために、１つまたは複数の堤防セクションを通して織られてもよい。堤防セクションがベーパバリアの後端部分に配置され、前端部分のベーパバリアが任意選択的に１つ以上の堤防セクションの間に織り込まれると、ベーパバリアの前端部分は、堤防セクションによって形成された堤防の前面を延伸してもよく、洪水の封じ込めエリア内に傾斜させながら、入口から延伸してもよい。任意選択的に、入口から延在するベーパバリアのこの前端部分は、地上アンカーおよび／または重りで固定することができる。前述の実施形態のように、プラスチックのベーパバリアは、封じ込められた洪水の静水圧から生じる堤防への力に抵抗するのを助ける。さらに、ベーパバリアの使用は、入口１３０３を通って家またはガレージなどの閉鎖領域への洪水の浸水を緩和するために、入口１３０３の追加の封止を提供できる。
【０１１５】
図１３Ｂは、例示的な実施形態による、例示的な構造によって指示される封じ込め堤防用途を示す図である。示されるように、２つの構造体１０００および可撓性封じ込めチューブ６０は、より長い堤防セクションを形成するように構成される。構造体１０００Ａは、可撓性封じ込めチューブ６０Ａを支持して第１の堤防セクションを形成し、構造体１０００Ｂは、可撓性封じ込めチューブ６０Ｂを支持してセクション堤防部分を形成する。最初およびセクション堤防セクションは、より長いセクションの堤防を形成するように当接される。図示の例では、堤防セクションは、例示の入口１３０７内に隣接している。前述のように、構造体１０００は、堤防セクションが入口の幅内に収まるように、長さを構築および／または調整することができる。しかしながら、入口の幅が利用可能なチューブの構造および／または長さの調整を超える場合（最小折りたたみ長さを下回る）、複数の構造および／またはチューブを使用することができる。図示の例は、対応するチューブ６０Ａ、６０Ｂと共に利用される各構造体１０００Ａ、１０００Ｂを示している。あるいは、十分な長さの単一のチューブが、構造体１０００Ａおよび１０００Ｂが単一のチューブに挿入された状態で利用されたかもしれない。いずれの場合でも、構造体１０００Ａ、１０００Ｂは、それらの長さの合計が入口１３０７の幅を超えないように長さを調整することができる。他の例示的な実施形態は、追加の構造体および／またはチューブを利用することができる。
【０１１６】
構造体１０００Ａ、１０００Ｂおよびチューブ６０Ａ、６０Ｂが地面１０１上の入口１３０７内に配置された第１および第２の堤防セクションを形成すると、チューブ６０Ａ、６０Ｂは６１Ａ、６１Ｂを満たすことができる。第１の堤防区画が満たされると（６１Ａ）、チューブ６０Ａは１２５０Ｂ、１２５０Ｃを横方向に拡張し、入口１３０７の縁および第２の堤防区画に対して封止する。同様に、第２の堤防区画が満たされると（６１Ｂ）、チューブ６０Ｂは１２５０Ａ、１２５０Ｃを横方向に拡張し、入口１３０７の他の縁に対して、そしてまた第１の堤防区画で封止する。拡張１２５０Ｃの結果として、第１の堤防セクションと第２の堤防セクションは互いに封止して、入口１３０７内により長い堤防セクションを形成します。水（例えば、洪水）が堤防セクションの前面に沿って上昇すると、上昇する水によって生成された静水圧が、入口１３０７内へ方向付けられた、構造体１０００Ａ，１０００Ｂとチューブ６０Ａ，６０Ｂに加えられた後方の力を及ぼす堤防セクションの前面に圧力を及ぼす。チューブ６０Ａ、６０Ｂの横方向拡張１２５０Ａ、１２５０Ｂ、１２５０Ｃは、充填されたとき、この力に抗して堤防セクションの位置を維持するように作用する。さらに、入口１３０７がドア１３０５またはその他のバリアを含む場合、堤防セクションの前面での水の静水圧により、堤防セクションがドアに押し付けられ、チューブ６０Ａ、６０Ｂの背面が入口内のドア１３０５に対してそれら自身でさらに封止されることとなる。堤防セクションによるこれらの作用の組み合わせ（たとえば、第１および第２の堤防セクションの、入口１３０７の端に対する、および互いに対する拡張）と、堤防セクションに対する作用は、入口１３０７内の堤防セクションの固定と、入口の封止を提供して、出入り口１３０７を通って家またはガレージなどの閉鎖区域への洪水の浸水を軽減する。これに対し、砂袋は、浸入を効果的に防止し、しかしドア１３０５の完全な破れを防止するために、浸食および／または破壊のような作用を緩和するバリアを提供しない。
【０１１７】
いくつかの実施形態では、追加の堤防セクションを利用することができる。たとえば、より高い高さの洪水を軽減するために、１つまたは複数の追加の堤防セクションを同様の方法で入口１３０７内に積み重ねてもよい。さらに、前述のように、正方形の断面を持つ構造体１０００を利用するのではなく、長方形の断面を持つ構造体を利用して、長方形の断面の長辺が入口１３０７内で垂直になるように配置して、正方形の構造を持つ堤防セクションの高さを超える洪水を緩和することができる。あるいは、三角形の断面を有する構造体１０００を利用して、垂直方向の高さを増加させ、安定したベースを提供することができる。追加的に、１つ以上の堤防セクションは、入口１３０７内に配置された堤防セクションの前に配置および／または積み重ねられ得る。任意選択的に、入口１３０７の前に配置および/または積み重ねられたこれらの堤防セクションは、洪水が上昇したときに、それらが入口の縁を越えて伸びるように、それらの後部および入口１３０７の縁に対して、洪水の静水圧がこれらの障壁を両方とも堤防セクションに押し付けるように、入口１３０３の幅よりも長く延びる長さを有することができる。
【０１１８】
いくつかの実施形態では、ポリビスクイーンまたはその表面からの流体の浸入を防止する他の材料などのベーパバリアが、１つまたは複数の堤防セクションを配置する前に配置される。ベーパバリアは、横方向に延びて、入口１３０７の各側面を越えて延びることができる。入口１３０７内および／または入口の前のベーパバリアの後端部に、１つまたは複数の堤防セクションを配置、充填、および／または積み重ねてもよい。いくつかの実施形態では、ベーパバリアの後端部は、浸透ギャップを提供するように配置され、ベーパバリアを入口のドア１３０５および/または基準面に押し付ける堤防の内部の静水圧の作用により、追加の封止がなされる。任意選択的に、ベーパバリアの前端部分は、ベーパバリアをよりよく固定するために、１つまたは複数の堤防セクションを通して織られてもよい。堤防セクションがベーパバリアの後端部分に配置され、前端部分のベーパバリアが任意選択的に１つ以上の堤防セクションの間に織り込まれると、ベーパバリアの前端部分は、堤防セクションによって形成された堤防の前面を延伸してもよく、洪水の封じ込めエリア内に傾斜させながら、入口から延伸してもよい。任意選択的に、入口から延在するベーパバリアのこの前端部分は、地上アンカーおよび／または重りで固定することができる。前述の実施形態のように、ベーパバリアは、封じ込められた洪水の静水圧から生じる堤防への力に抵抗するのを助ける。さらに、ベーパバリアの使用は、入口１３０７を通って家またはガレージなどの閉鎖領域への洪水の浸水を緩和するために、入口１３０７の追加の封止を提供できる。
【０１１９】
いくつかの実施形態では、堤防セクションは、洪水緩和以外の他の目的のために利用されてもよい。たとえば、１つまたは複数の堤防セクションを安全バリアとして利用することができる。多くの場合、コーン、プラスチック、ロープなど、および/または金属および/または木製のポップアップバリアは、車両の通行からエリアを区切るための交通制御に使用される。このような障壁は、道路またはエリアが通行止めになっていることをドライバーに通知するのに役立ちますが、誤った車両の停止には効果がない。ジャージーバリアなどのコンクリートバリアは、車両の停止には効果的ですが、移動、保管が面倒で、使用コストが非常に高くなる。可撓性封じ込めチューブは、目的の形状または構造ですばやく配置でき、構造、サイズ、および重量の強さにより、誤った車両の停止に効果的であるため、この作業に適している。さらに、複数のチューブを使用して、特定の高さのバリアを構築してもよい。構造で支持された封じ込めチューブは、内部構造が可撓性封じ込めチューブをさらに強化しながら、誤った車両の停止に追加の利点を提供できる。内部支持構造体は、この目的のために、衝撃力に抵抗する鉄筋またはワイヤーのケーブルで補強することにより、構造で支持された封じ込めチューブの側面に衝突する車両をよりよく停止させるように構成できる。
【０１２０】
本開示を読むと、当業者は、実施形態の開示されている原理を通して、さらに追加的な代替的な構造的で機能的な設計を理解するであろう。したがって、特定の実施形態および用途が図示および説明されてきたが、実施形態は、本明細書で開示されている正確な構築および構成要素に限定されないこと、ならびに、当業者に明らかになるさまざまな修正、変化、および変形が、添付の特許請求の範囲に定義されているような要旨および範囲から逸脱することなく、本明細書で開示されている方法および装置の配置、動作、および詳細の中で行われ得ることが理解されるべきである。
【図１】
2021508013.tif 000002
【図２】
2021508013.tif 000003
【図３Ａ】
2021508013.tif 000004
【図３Ｂ１】
2021508013.tif 000005
【図３Ｂ２】
2021508013.tif 000006
【図３Ｃ１】
2021508013.tif 000007
【図３Ｃ２】
2021508013.tif 000008
【図４Ａ】
2021508013.tif 000009
【図４Ｂ】
2021508013.tif 000010
【図４Ｃ】
2021508013.tif 000011
【図５】
2021508013.tif 000012
【図６Ａ】
2021508013.tif 000013
【図６Ｂ】
2021508013.tif 000014
【図７Ａ１】
2021508013.tif 000015
【図７Ａ２】
2021508013.tif 000016
【図７Ｂ１】
2021508013.tif 000017
【図７Ｂ２】
2021508013.tif 000018
【図７Ｃ】
2021508013.tif 000019
【図７Ｄ】
2021508013.tif 000020
【図７Ｅ】
2021508013.tif 000021
【図８Ａ】
2021508013.tif 000022
【図８Ｂ】
2021508013.tif 000023
【図８Ｃ】
2021508013.tif 000024
【図９】
2021508013.tif 000025
【図１０】
2021508013.tif 000026
【図１１Ａ】
2021508013.tif 000027
【図１１Ｂ】
2021508013.tif 000028
【図１１Ｃ】
2021508013.tif 000029
【図１２Ａ】
2021508013.tif 000030
【図１２Ｂ】
2021508013.tif 000031
【図１２Ｃ】
2021508013.tif 000032
【図１２Ｄ】
2021508013.tif 000033
【図１２Ｅ】
2021508013.tif 000034
【図１３Ａ】
2021508013.tif 000035
【図１３Ｂ】
2021508013.tif 000036
【手続補正書】
【提出日】令和2年9月29日(2020.9.29)
【手続補正１】
【補正対象書類名】特許請求の範囲
【補正対象項目名】全文
【補正方法】変更
【補正の内容】
【特許請求の範囲】
【請求項１】
洪水の被害を緩和させる装置であって、前記装置は、
前記可撓性封じ込めチューブの内部内に設けられた支持構造体であって
断面周囲と、
長さとを含む、支持構造体と、
可撓性封じ込めチューブであって、
前記支持構造体の断面周囲より大きいか等しい大きさの周囲と、
前記支持構造体の長さより大きいか等しい大きさの長さと、
前記封じ込めチューブの前記可撓性本体内の開口であって、前記開口が前記支持構造体を受容するのに十分大きい、開口と、
流体を受容するように構築された、前記可撓性封じ込めチューブの可撓性本体に設けられた弁と、を備える可撓性封じ込めチューブと、
を含み、
前記可撓性封じ込めチューブの長さは、最小折りたたみ長さ分、前記支持構造体の長さを延伸し、前記最小折りたたみ長さは、前記支持構造体の端部を通って延伸し、前記可撓性封じ込めチューブ上に折り返し、前記可撓性封じ込めチューブの開口を封止するのに必要な、可撓性封じ込めチューブの最小長さであることを特徴とする装置。
【請求項２】
前記可撓性封じ込めチューブの、前記可撓性封じ込めチューブに設けられた弁は、前記流体の放出を阻止するように構築されていることを特徴とする請求項１に記載の装置。
【請求項３】
前記最小折りたたみ長さ分、前記支持構造体の長さを延伸する前記可撓性封じ込めチューブの長さは、折りたたまれ、前記可撓性封じ込めチューブが前記支持構造体を前記可撓性封じ込めチューブ内に封止し、前記弁を通って充填されたときに、前記可撓性封じ込めチューブから流体が放出されることを阻止することを確実にすることを特徴とする、請求項１に記載の装置。
【請求項４】
前記最小折りたたみ長さ分、前記支持構造体の長さを延伸する前記可撓性封じ込めチューブの長さは、ストラップ、スリーブ端部、またはチューブ当接部により、前記可撓性封じ込めチューブ内に前記支持構造体を封止し、前記弁を通って充填されたときに、前記可撓性封じ込めチューブから流体が放出されることを阻止することを確実にすることを特徴とする、請求項１に記載の装置。
【請求項５】
前記支持構造体の前記断面の前記周囲は、前記可撓性封じ込めチューブの開口に前記支持構造体を挿入することを可能にするように、前記可撓性封じ込めチューブの周囲より小さいが近似であることを特徴とする請求項１に記載の装置。
【請求項６】
前記支持構造体は、前記支持構造体の前記長さおよび／または前記断面周囲を調整するのに適合する調整可能な支持体を含むことを特徴とする請求項１に記載の装置。
【請求項７】
前記支持構造体は、正方形、長方形または三角形の断面を有し、前記断面周囲は前記断面の辺の合計であることを特徴とする請求項１に記載の装置。
【請求項８】
洪水の損害を緩和する方法であって、前記方法は、
入口の幅を基準に支持構造体の長さを調整することと、
可撓性封じ込めチューブの前記可撓性本体内の開口の周囲を基準に支持構造体の断面周囲を調整することと、
前記支持構造体を前記可撓性封じ込めチューブの前記開口に挿入すること、
前記開口を封止して、構造支持堤防セクションを形成し、前記支持構造体が前記可撓性封じ込めチューブの内部にあることと、
前記入口内に前記構造支持堤防セクションを配置することと、
前記構造支持堤防セクションを充填流体で充填し、前記入口の幅内で前記可撓性封じ込めチューブを横方向に延伸し、前記入口の第１の縁で封止を形成することを含み、
前記可撓性封じ込めチューブの長さは、最小折りたたみ長さ分、前記支持構造体の長さを延伸し、前記最小折りたたみ長さは、前記支持構造体の端部を通って延伸し、前記可撓性封じ込めチューブ上に折り返し、前記可撓性封じ込めチューブの開口を封止するのに必要な、可撓性封じ込めチューブの最小長さであることを特徴とする方法。
【請求項９】
前記可撓性封じ込めチューブの前記可撓性本体に設けられた弁は、前記充填流体を受容し、前記充填流体の放出を阻止するように構築されることを特徴とする請求項８に記載の方法。
【請求項１０】
前記最小折りたたみ長さ分、前記支持構造体の長さを延伸する前記可撓性封じ込めチューブの長さは、折りたたまれ、前記可撓性封じ込めチューブが前記支持構造体を前記可撓性封じ込めチューブ内に封止し、前記可撓性封じ込めチューブの前記可撓性本体に設けられた弁を通って充填されたときに、前記可撓性封じ込めチューブから流体が放出されることを阻止することを確実にすることを特徴とする、請求項８に記載の方法。
【請求項１１】
前記最小折りたたみ長さ分、前記支持構造体の長さを延伸する前記可撓性封じ込めチューブの長さは、ストラップ、スリーブ端部、またはチューブ当接部により、前記可撓性封じ込めチューブ内に前記支持構造体を封止し、前記可撓性封じ込めチューブの前記可撓性本体に設けられた弁を通って充填されたときに、前記可撓性封じ込めチューブから流体が放出されることを阻止することを確実にすることを特徴とする、請求項８に記載の方法。
【請求項１２】
前記支持構造体の前記断面の前記周囲は、前記可撓性封じ込めチューブの開口に前記支持構造体を挿入することを可能にするように、前記可撓性封じ込めチューブの周囲より小さいが近似であることを特徴とする請求項８に記載の方法。
【請求項１３】
前記支持構造体は、前記支持構造体の前記長さおよび／または前記断面周囲を調整するのに適合する調整可能な支持体を含むことを特徴とする請求項８に記載の方法。
【請求項１４】
前記入口内に前記構造支持堤防セクションを配置することは、
前記入口を横断するようにベーパバリアを延伸すること、
前記ベーパバリアの第１の端部部分上に前記構造支持堤防セクションを配置すること、
前記構造支持封じ込め堤防セクションの背面の周りに前記ベーパバリアの第２の端部を包むこと、および
前記構造支持封じ込め堤防セクションの前面を降り、封じ込めエリア内に、前記ベーパバリアの前記第２の端部を延伸すること、
を含むことを特徴とする請求項８に記載の方法。
【請求項１５】
さらに、  
前記入口の幅および前記第１の支持構造体の前記長さを基準に第２の支持構造体の長さを調整すること、
第２の可撓性封じ込めチューブ内で前記第２の支持構造体を封止し、第２の構造支持堤防セクションを形成すること、
前記入口内で、前記第２の構造支持堤防セクションを第１の構造支持堤防セクションに当接すること、および
前記第２の構造支持堤防セクションを充填流体で充填し、前記入口の幅内で前記第２の可撓性封じ込めチューブを横方向に延伸し、前記入口の第２の縁で第２の封止を、第１の構造支持堤防セクションで第３の封止を形成すること、
を含むことを特徴とする請求項８に記載の方法。
【請求項１６】
前記入口の幅を基準とした支持構造体の長さを調整すること、
第２の可撓性封じ込めチューブ内で前記第２の支持構造体を封止し、第２の構造支持堤防セクションを形成すること、
前記入口内で前記第２の構造支持堤防セクションを前第１の構造支持堤防セクションの上に重ねること、および
前記第２の構造支持堤防セクションを充填流体で充填し、前記入口の幅内で前記第２の可撓性封じ込めチューブを横方向に延伸し、前記入口の前記第２の縁で第２の封止を形成すること、
を含むことを特徴とする請求項８に記載の方法。
【請求項１７】
入口の幅を基準に支持構造体の長さを調整することは、前記入口の幅内に適応する前記支持構造体の１または複数の調整可能な長い支持体を調整し、充填したときに、前記入口内で前記構造支持堤防セクションを封止すること、を含み、
可撓性封じ込めチューブの周囲を基準に支持構造体の断面周囲を調整することは、前記可撓性封じ込めチューブの周囲より小さい、合算した長さを有するように前記支持構造体の断面を画定する、１つまたは複数の調整可能な断面の支持体を調整することを含む、
ことを特徴とする請求項８に記載の方法。
【請求項１８】
前記支持構造体は、正方形、長方形または三角形の断面を有し、前記断面周囲は前記断面の辺の合計であることを特徴とする請求項８に記載の方法。
【請求項１９】
前記入口は、洪水被害を受けやすい構造への入口である、請求項８に記載の方法。
【国際調査報告】
2021508013.tif 000037
2021508013.tif 000038